(57)【要約】【課題】広帯域幅データフレームを通信する装置を提供する。【解決手段】装置は、第１のワイヤレス通信局（ＳＴＡ）に、伝送機会（ＴｘＯＰ）を確立するために、送信要求（ＲＴＳ）フレームを第２のＳＴＡに送信させ、ＲＴＳフレームが、４５ギガヘルツ（ＧＨｚ）よりも高い周波数帯域における複数のチャネルにわたって複製され、ＲＴＳフレームのヘッダフィールドが、複数のチャネルを含むチャネル帯域幅についての帯域幅指示値を含み、複数のチャネルのうちの少なくとも１つのチャネルを通じて、第２のＳＴＡから送信可（ＣＴＳ）フレームを受信させ、ＴｘＯＰの間に第２のＳＴＡにデータ伝送を送信させるように構成されたロジック及び回路を備える。【選択図】図１
2018107820.tif 000002
【特許請求の範囲】
【請求項１】
第１のワイヤレス通信局（ＳＴＡ）に、
伝送機会（ＴｘＯＰ）を確立するために、送信要求（ＲＴＳ）フレームを第２のＳＴＡに送信させ、前記ＲＴＳフレームが、４５ギガヘルツ（ＧＨｚ）よりも高い周波数帯域における複数のチャネルにわたって複製され、前記ＲＴＳフレームのヘッダフィールドが、前記複数のチャネルを含むチャネル帯域幅についての帯域幅指示値を含み、
前記複数のチャネルのうちの少なくとも１つのチャネルを通じて、前記第２のＳＴＡから送信可（ＣＴＳ）フレームを受信させ、
前記ＴｘＯＰの間に前記第２のＳＴＡにデータ伝送を送信させる
ように構成されたロジック及び回路を備える、装置。
【請求項２】
前記ＲＴＳフレームの前記ヘッダフィールドが、スクランブラ初期化フィールドを含み、前記スクランブラ初期化フィールドが、前記複数のチャネルを含む前記チャネル帯域幅を指示する複数のビットを含む、請求項１に記載の装置。
【請求項３】
前記複数のビットが、どのチャネルが前記複数のチャネルに含まれるかを識別するためのものである、請求項２に記載の装置。
【請求項４】
前記第１のＳＴＡに、前記ＴｘＯＰの短縮を指示する無競合終了（ＣＦ−ＥＮＤ）フレームを送信させるように構成された、請求項１に記載の装置。
【請求項５】
前記第１のＳＴＡに、前記複数のチャネルのうちの２つ又はそれより多くのチャネルにわたって複製された前記ＣＦ−ＥＮＤフレームを送信させるように構成された、請求項４に記載の装置。
【請求項６】
前記第１のＳＴＡに、前記複数のチャネルのうちの２つ又はそれより多くのチャネルにわたって複製された前記ＣＴＳフレームを受信させるように構成された、請求項１に記載の装置。
【請求項７】
前記第１のＳＴＡに、前記複数のチャネルにわたって複製された前記ＣＴＳフレームを受信させるように構成された、請求項１に記載の装置。
【請求項８】
前記第１のＳＴＡに、前記複数のチャネルのうちの前記少なくとも１つのチャネルを含むチャネル帯域幅を通じて前記データ伝送を送信させるように構成された、請求項１に記載の装置。
【請求項９】
前記第１のＳＴＡに、前記複数のチャネルのうちの２つ又はそれより多くのチャネルを含むチャネル帯域幅を通じて前記データ伝送を送信させるように構成された、請求項１に記載の装置。
【請求項１０】
前記第１のＳＴＡに、前記複数のチャネルを含む前記チャネル帯域幅を通じて前記データ伝送を送信させるように構成された、請求項１に記載の装置。
【請求項１１】
前記ＲＴＳフレームが、指向性マルチギガビット（ＤＭＧ）局によって復号可能である、請求項１に記載の装置。
【請求項１２】
媒体アクセス制御（ＭＡＣ）と物理層（ＰＨＹ）とを含む、請求項１から１１のいずれか一項に記載の装置。
【請求項１３】
無線装置を備える、請求項１から１１のいずれか一項に記載の装置。
【請求項１４】
１つ又は複数のアンテナを備える、請求項１から１１のいずれか一項に記載の装置。
【請求項１５】
命令を含むコンピュータプログラムであって、前記命令が、プロセッサによって実行される場合に、前記プロセッサが第１のワイヤレス通信局（ＳＴＡ）に、
伝送機会（ＴｘＯＰ）を確立するために、送信要求（ＲＴＳ）フレームを第２のＳＴＡに送信させ、前記ＲＴＳフレームが、４５ギガヘルツ（ＧＨｚ）よりも高い周波数帯域における複数のチャネルにわたって複製され、前記ＲＴＳフレームのヘッダフィールドが、前記複数のチャネルを含むチャネル帯域幅についての帯域幅指示値を含み、
前記複数のチャネルのうちの少なくとも１つのチャネルを通じて、前記第２のＳＴＡから送信可（ＣＴＳ）フレームを受信させ、
前記ＴｘＯＰの間に前記第２のＳＴＡにデータ伝送を送信させる
ことを可能にするように動作可能である、コンピュータプログラム。
【請求項１６】
前記ＲＴＳフレームの前記ヘッダフィールドが、スクランブラ初期化フィールドを含み、前記スクランブラ初期化フィールドが、前記複数のチャネルを含む前記チャネル帯域幅を指示する複数のビットを含む、請求項１５に記載のコンピュータプログラム。
【請求項１７】
前記命令が、実行される場合に、前記第１のＳＴＡに、前記ＴｘＯＰの短縮を指示する無競合終了（ＣＦ−ＥＮＤ）フレームを送信させる、請求項１５に記載のコンピュータプログラム。
【請求項１８】
前記命令が、実行される場合に、前記第１のＳＴＡに、前記複数のチャネルのうちの２つ又はそれより多くのチャネルにわたって複製された前記ＣＴＳフレームを受信させる、請求項１５に記載のコンピュータプログラム。
【請求項１９】
前記命令が、実行される場合に、前記第１のＳＴＡに、前記複数のチャネルのうちの前記少なくとも１つのチャネルを含むチャネル帯域幅を通じて前記データ伝送を送信させる、請求項１５に記載のコンピュータプログラム。
【請求項２０】
請求項１５から１９のいずれか一項に記載のコンピュータプログラムを記憶するコンピュータ読み取り可能な記憶媒体。
【発明の詳細な説明】
【技術分野】
【０００１】
本明細書に記載されている実施形態は、一般に、広帯域幅データフレームを通信することに関する。
【背景技術】
【０００２】
広帯域幅データフレームとは、広帯域幅チャネルを通じて伝送されることになるフレームのことである。
【０００３】
広帯域幅チャネルは、２つ以上のチャネルを含み得る。これらの２つ以上のチャネルは、周波数において連続的であり得るか又は分離され得る。広帯域幅チャネルは、これらの２つ以上のチャネルを結合させるチャネルボンディングを用いて作成され得る。
【０００４】
広帯域幅チャネルは、例えば、より広い帯域幅で動作することによって、より高いビットレートを達成することができる。
【０００５】
チャネルボンディングを用いることができるワイヤレスデバイスは、広帯域幅データフレームを符号化及び／又は復号できる場合がある。
【０００６】
図解を単純で明確にするために、図に示される要素は、必ずしも縮尺の通りに描かれているとは限らない。例えば、要素のうちのいくつかの寸法は、描写を明確にするために、他の要素に対して誇張されている場合がある。さらに、参照番号は、対応する又は類似の要素を指示するために、複数の図において反復される場合がある。図は、下記に列挙される。
【図面の簡単な説明】
【０００７】
【図１】いくつかの例示的な実施形態によるシステムの概略的なブロック図による図解である。
【図２Ａ】いくつかの例示的な実施形態による送信要求（Request  to  Send：ＲＴＳ）フレームの構造の概略的な図解である。
【図２Ｂ】いくつかの例示的な実施形態による送信可（Clear To Send：ＣＴＳ）フレームの構造の概略的な図解である。
【図３】いくつかの例示的な実施形態による広帯域幅データフレームの通信を保護することに関する概略的な図解である。
【図４】いくつかの例示的な実施形態による広帯域幅データフレームを通信する方法の概略的なフローチャートによる図解である。
【図５】いくつかの例示的な実施形態による広帯域幅データフレームの伝送の概略的な図解である。
【図６Ａ】いくつかの例示的な実施形態によるシングルキャリア（ＳＣ）伝送のための広帯域幅チャネル推定フィールドの構造の概略的な図解である。
【図６Ｂ】いくつかの例示的な実施形態による直交周波数分割多重（ＯＦＤＭ）伝送のための広帯域幅チャネル推定フィールドの構造の概略的な図解である。
【図７】いくつかの例示的な実施形態による広帯域幅データフレームの伝送の概略的な図解である。
【図８】いくつかの例示的な実施形態による広帯域幅チャネル推定フィールドの構造の概略的な図解である。
【図９】いくつかの例示的な実施形態による広帯域幅データフレームを通信する方法の概略的なフローチャートによる図解である。
【図１０】いくつかの例示的な実施形態による製造の製品の概略的な図解である。
【発明を実施するための形態】
【０００８】
下記の詳細な説明では、多くの特定の詳細が、いくつかの実施形態の十分な理解を提供するために、与えられる。しかし、いくつかの実施形態はこれらの特定の詳細がなくても実施され得ることが、当業者によって理解されるであろう。他の場合には、周知の方法、手順、コンポーネント、ユニット及び／又は回路が、議論を曖昧にしないために、詳細には説明されていない。
【０００９】
例えば、「処理する」、「算出する」、「計算する」、「決定する」、「確立する」、「解析する」、「確認する」、又はその他の同様な用語を用いる本明細書での議論は、コンピュータ、コンピューティングプラットフォーム、コンピューティングシステム、又はその他の電子コンピューティングデバイスの動作及び／又はプロセスを指すことができ、この動作及び／又はプロセスとは、コンピュータのレジスタ及び／若しくはメモリの内部の物理（例えば、電子）量として表されるデータを、コンピュータのレジスタ及び／若しくはメモリ、又は動作及び／若しくはプロセスを実行するための命令を記憶することができるそれ以外の情報記憶媒体の内部の物理量として同様に表されるそれ以外のデータに処理並びに／又は変換することである。
【００１０】
本明細書で用いられる「複数」及び「複数の」という用語は、例えば、「多数の」又は「２つ以上」を含む。例えば、「複数のアイテム」とは、２つ以上のアイテムを含む。
【００１１】
「１つの実施形態」、「ある実施形態」、「例示的な実施形態」、「様々な実施形態」などについて言及することは、そう記述されている実施形態が、特定の特徴、構造、又は特性を含み得るけれど、すべての実施形態が、その特定の特徴、構造、又は特性を必ずしも含むとは限らない、ということを示す。さらに、「１つの実施形態において」という表現を繰り返して用いたとしても、それは、同一の実施形態を指す場合もあり得るが、同一の実施形態を必ずしも指すとは限らない。
【００１２】
本明細書においては、別の指定がなされない限り、共通の対象を記述するための序数形容詞「第１の」、「第２の」、「第３の」などの使用は、同様の対象の異なる例が言及されていることを示すだけであって、そう記述される対象が時間的、空間的、順位的、又は任意の他の態様で所与のシーケンスの中に存在しなければならないことを意味することは、意図されていない。
【００１３】
いくつかの実施形態は、様々なデバイス及びシステム、例えば、ユーザ機器（ＵＥ）、モバイルデバイス（ＭＤ）、ワイヤレス局（ＳＴＡ）、ブルートゥース（登録商標）デバイス、物のインターネット（ＩｏＴ）デバイス、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、携帯情報端末（ＰＤＡ）デバイス、ハンドヘルドＰＤＡデバイス、オンボードデバイス、オフボードデバイス、ハイブリッドデバイス、車両デバイス、非車両デバイス、モバイル又はポータブルデバイス、消費者デバイス、非モバイル又は非ポータブルデバイス、ワイヤレス通信局、ワイヤレス通信デバイス、ワイヤレスアクセスポイント（ＡＰ）、ワイヤード又はワイヤレスルータ、ワイヤード又はワイヤレスモデム、ビデオデバイス、オーディオデバイス、オーディオ／ビデオ（Ａ／Ｖ）デバイス、ワイヤード又はワイヤレスネットワーク、ワイヤレスエリアネットワーク、ワイヤレスビデオエリアネットワーク（ＷＶＡＮ）、ローカルエリアネットワーク（ＬＡＮ）、ワイヤレスＬＡＮ（ＷＬＡＮ）、パーソナルエリアネットワーク（ＰＡＮ）、ワイヤレスＰＡＮ（ＷＰＡＮ）、及び同様のものと共に、用いられ得る。
【００１４】
いくつかの実施形態は、既存のワイヤレスギガビットアライアンス（ＷＧＡ）仕様（Ｗｉｒｅｌｅｓｓ  Ｇｉｇａｂｉｔ  Ａｌｌｉａｎｃｅ，Ｉｎｃ  ＷｉＧｉｇ  ＭＡＣ  ａｎｄ  ＰＨＹ  Ｓｐｅｃｉｆｉｃａｔｉｏｎ  Ｖｅｒｓｉｏｎ  １．１、２０１１年４月、Ｆｉｎａｌ  ｓｐｅｃｉｆｉｃａｔｉｏｎ）並びに／又は、この仕様の将来のバージョン及び／若しくは派生形式に従って動作するデバイス及び／又はネットワークと、既存のＩＥＥＥ８０２．１１標準（ＩＥＥＥ  ８０２．１１−２０１２，ＩＥＥＥ  Ｓｔａｎｄａｒｄ  ｆｏｒ  Ｉｎｆｏｒｍａｔｉｏｎ  ｔｅｃｈｎｏｌｏｇｙ−−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−−Ｓｐｅｃｉｆｉｃ  ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ、２０１２年３月２９日；ＩＥＥＥ８０２．１１ａｃ−２０１３（“ＩＥＥＥ  Ｐ８０２．１１ａｃ−２０１３，  ＩＥＥＥ  Ｓｔａｎｄａｒｄ  ｆｏｒ  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  −  Ｌｏｃａｌ  ａｎｄ  Ｍｅｔｒｏｐｏｌｉｔａｎ  Ａｒｅａ  Ｎｅｔｗｏｒｋｓ  −  Ｓｐｅｃｉｆｉｃ  Ｒｅｑｕｉｒｅｍｅｎｔｓ  −  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ  −Ａｍｅｎｄｍｅｎｔ  ４：  Ｅｎｈａｎｃｅｍｅｎｔｓ  ｆｏｒ  Ｖｅｒｙ  Ｈｉｇｈ  Ｔｈｒｏｕｇｈｐｕｔ  ｆｏｒ  Ｏｐｅｒａｔｉｏｎ  ｉｎ  Ｂａｎｄｓ  ｂｅｌｏｗ  ６ＧＨｚ”、２０１３年１２月）；  ＩＥＥＥ  ８０２．  １１ａｄ（“ＩＥＥＥ  Ｐ８０２．１１ａｄ−２０１２，  ＩＥＥＥ  Ｓｔａｎｄａｒｄ  ｆｏｒ  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  −  Ｌｏｃａｌ  ａｎｄ  Ｍｅｔｒｏｐｏｌｉｔａｎ  Ａｒｅａ  Ｎｅｔｗｏｒｋｓ  −  Ｓｐｅｃｉｆｉｃ  Ｒｅｑｕｉｒｅｍｅｎｔｓ  −  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ  −  Ａｍｅｎｄｍｅｎｔ  ３：  Ｅｎｈａｎｃｅｍｅｎｔｓ  ｆｏｒ  Ｖｅｒｙ  Ｈｉｇｈ  Ｔｈｒｏｕｇｈｐｕｔ  ｉｎ  ｔｈｅ  ６０ＧＨｚ  Ｂａｎｄ”、２０１２年１２月２８日）；ＩＥＥＥ−８０２．１１ＲＥＶｍｃ（“ＩＥＥＥ  ８０２．１  ｌ−ＲＥＶｍｃ（商標）／Ｄ３．０，  Ｊｕｎｅ  ２０１４  ｄｒａｆｔ  ｓｔａｎｄａｒｄ  ｆｏｒ  Ｉｎｆｏｒｍａｔｉｏｎ  ｔｅｃｈｎｏｌｏｇｙ  −Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ  Ｓｐｅｃｉｆｉｃ  ｒｅｑｕｉｒｅｍｅｎｔｓ；  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎ”））並びに／又は、この仕様の将来のバージョン及び／若しくは派生物に従って動作するデバイス及び／又はネットワークと、既存のワイヤレスフィデリティ（ＷｉＦｉ）アライアンス（ＷＦＡ）ピアツーピア（Ｐ２Ｐ）仕様（ＷｉＦｉ  Ｐ２Ｐ  ｔｅｃｈｎｉｃａｌ  ｓｐｅｃｉｆｉｃａｔｉｏｎ、ｖｅｒｓｉｏｎ  １．２、２０１２年）並びに／又は、この仕様の将来のバージョン及び／若しくは派生形式に従って動作するデバイス及び／又はネットワークと、既存のセルラ仕様及び／若しくはプロトコル、例えば、第３世代パートナーシッププロジェクト（３ＧＰＰ）、３ＧＰＰロングタームエボリューション（ＬＴＥ）、並びに／又はこの仕様の将来のバージョン及び／若しくは派生形式に従って動作するデバイス及び／又はネットワーク、上記のネットワークの一部であるユニット及び／又はデバイスと、その他同様のものと共に用いられ得る。
【００１５】
いくつかの実施形態は、単方向無線通信システム及び／又は双方向無線通信システム、セルラ無線電話通信システム、携帯電話、セルラ電話、ワイヤレス電話、パーソナル通信システム（ＰＣＳ）デバイス、ワイヤレス通信デバイスを組み込んだＰＤＡデバイス、モバイル又はポータブル全地球測位システム（ＧＰＳ）デバイス、ＧＰＳ受信機又はトランシーバ又はチップを組み込んだデバイス、ＲＦＩＤ要素又はチップを組み込んだデバイス、多入力多出力（ＭＩＭＯ）トランシーバ又はデバイス、単入力多出力（ＳＩＭＯ）トランシーバ又はデバイス、多入力単出力（ＭＩＳＯ）トランシーバ又はデバイス、１つ又は複数の内部アンテナ及び／又は外部アンテナを有するデバイス、デジタルビデオブロードキャスト（ＤＶＢ）デバイス又はシステム、マルチスタンダード無線デバイス又はシステム、ワイヤード又はワイヤレスハンドヘルドデバイス、例えば、スマートフォン、ワイヤレスアプリケーションプロトコル（ＷＡＰ）デバイス、又は同様のものと共に用いられ得る。
【００１６】
いくつかの実施形態は、１つ以上の種類の無線通信信号及び／又は無線通信システム、例えば、無線周波数（ＲＦ）、赤外線（ＩＲ）、周波数分割多重（ＦＤＭ）、直交ＦＤＭ（ＯＦＤＭ）、直交周波数分割多重接続（ＯＦＤＭＡ）、ＦＤＡ時分割多重（ＴＤＭ）、時分割多重接続（ＴＤＭＡ）、マルチユーザＭＩＭＯ（ＭＵ−ＭＩＭＯ）、空間分割多重接続（ＳＤＭＡ）、拡張ＴＤＭＡ（Ｅ−ＴＤＭＡ）、汎用パケット無線サービス（ＧＰＲＳ）、拡張ＧＰＲＳ、符号分割多重接続（ＣＤＭＡ）、広帯域ＣＤＭＡ（ＷＣＤＭＡ（登録商標））、ＣＤＭＡ  ２０００、シングルキャリアＣＤＭＡ、マルチキャリアＣＤＭＡ、マルチキャリア変調（ＭＤＭ）、離散マルチトーン（ＤＭＴ）、ブルートゥース（登録商標）、全地球測位システム（ＧＰＳ）、Ｗｉ−Ｆｉ、Ｗｉ−Ｍａｘ、ＺｉｇＢｅｅ（商標）、超広帯域（ＵＷＢ）、グローバルシステムフォーモバイルコミュニケーション（ＧＳＭ（登録商標））、２Ｇ、２．５Ｇ、３Ｇ、３．５Ｇ、４Ｇ、第５世代（５Ｇ）モバイルネットワーク、３ＧＰＰ、ロングタームエボリューション（ＬＴＥ）、ＬＴＥアドバンスト、エンハンストデータレートフォーＧＳＭ（登録商標）エボリューション（ＥＤＧＥ）、又は同様のものと共に用いられ得る。他の実施形態は、様々な他のデバイス、システム及び／又はネットワークと共に用いられ得る。
【００１７】
「ワイヤレスデバイス」という用語は、本明細書において、例えば、ワイヤレス通信が可能なデバイス、ワイヤレス通信が可能な通信デバイス、ワイヤレス通信が可能な通信局、ワイヤレス通信が可能なポータブルデバイス又は非ポータブルデバイス、又は同様のものを含む。いくつかの例示的な実施形態では、ワイヤレスデバイスは、コンピュータと一体化された周辺機器若しくはコンピュータに取り付けられた周辺機器であり得るか又はそれらを含み得る。いくつかの例示的な実施形態では、「ワイヤレスデバイス」という用語は、任意に、ワイヤレスサービスを含み得る。
【００１８】
本明細書で通信信号に関して用いられる「通信する」という用語は、通信信号を送信すること、及び／又は、通信信号を受信することを含む。例えば、通信信号を通信することが可能な通信ユニットは、通信信号を少なくとも１つの他の通信ユニットに送信するための送信機、及び／又は、通信信号を少なくとも１つの他の通信ユニットから受信するための通信受信機を含み得る。通信するという動詞は、送信する動作又は受信する動作を指すために用いられ得る。ある例では、「信号を通信する」という表現は、第１のデバイスによって信号を送信する動作を指し、第２のデバイスによって信号を受信する動作を必ずしも含むとは限らない場合がある。別の例では、「信号を通信する」という表現が、第１のデバイスによって信号を受信する動作を指し、第２のデバイスによって信号を送信する動作を必ずしも含むとは限らない場合がある。
【００１９】
いくつかの例示的な実施形態が、例えばワイヤレスフィデリティ（ＷｉＦｉ）ネットワークなどのＷＬＡＮと共に用いられ得る。他の実施形態が、例えば、ワイヤレスエリアネットワーク、「ピコネット」、ＷＰＡＮ、ＷＶＡＮなど、いずれかの他の適切なワイヤレス通信ネットワークと共に用いられ得る。
【００２０】
いくつかの例示的な実施形態は、６０ＧＨｚの周波数帯域を通じて通信するワイヤレス通信ネットワークと共に用いられ得る。しかし、他の実施形態は、いずれかの他の適切なワイヤレス通信周波数帯域、例えば、極高周波（ＥＨＦ）帯域（ミリメートル波（ｍｍ波）周波数帯域）、例えば、２０ＧＨｚから３００ＧＨｚまでの間にある周波数帯域のうちのある周波数帯域、ＷＬＡＮ周波数帯域、ＷＰＡＮ周波数帯域、ＷＧＡ仕様に従った周波数帯域、及び同様のものを用いて実施されることもあり得る。
【００２１】
本明細書で用いられる「指向性マルチギガビット（Directional Multi-Gigabit：ＤＭＧ）」及び「指向性帯域」（directional  band：ＤＢａｎｄ）という用語は、チャネル開始周波数が４５ＧＨｚよりも高い周波数帯域に関係することができる。ある例では、ＤＭＧ通信は、例えば毎秒７ギガビットなどの毎秒少なくとも１ギガビット、又は、いずれかの他のレートなど、毎秒複数ギガビットのレートで通信するための１つ又は複数の指向性リンクを含むことがある。
【００２２】
本明細書で用いられる「アンテナ」という用語は、１つ又は複数のアンテナ要素、コンポーネント、ユニット、アセンブリ及び／又はアレイの、いずれかの適切な構成、構造及び／又は配置を含み得る。いくつかの実施形態では、アンテナが、別個の送信アンテナ要素と受信アンテナ要素とを用いて、送信機能と受信機能とを実装することができる。いくつかの実施形態では、アンテナが、共通の及び／又は一体化された送信／受信要素を用いて、送信機能と受信機能とを実装することができる。アンテナは、例えば、位相アレイアンテナ、単一要素アンテナ、１組のスイッチトビームアンテナ、及び／又は同様のものを含み得る。
【００２３】
次に、いくつかの例示的な実施形態によるシステム１００のブロック図の概略的な図解である図１を、参照する。
【００２４】
図１に示されるように、いくつかの例示的な実施形態において、システム１００は、コンテンツ、データ、情報、オーディオ、ビデオ、及び／又は信号を、ワイヤレス媒体（ＷＭ）１０３経由で通信することができる、１つ又は複数のワイヤレス通信デバイスを含み得る。例えば、システム１００は、ワイヤレス通信デバイス１０２と、ワイヤレス通信デバイス１４０と、１つ又は複数のワイヤレス通信デバイス１５０とを含み得る。
【００２５】
いくつかの例示的な実施形態において、デバイス１０２及び／又はデバイス１４０は、モバイルデバイス又は、例えば固定式の非モバイルデバイスを含み得る。例えば、デバイス１０２及び／又はデバイス１４０は、例えばＵＥ、ＭＤ、ＳＴＡ、ＡＰ、ＰＣ、デスクトップコンピュータ、モバイルコンピュータ、ラップトップコンピュータ、ウルトラブック（商標）コンピュータ、ノートブックコンピュータ、タブレットコンピュータ、サーバコンピュータ、ハンドヘルドコンピュータ、ハンドヘルドデバイス、ＰＤＡデバイス、ハンドヘルドＰＤＡデバイス、オンボードデバイス、オフボードデバイス、ハイブリッドデバイス（例えば、セルラ電話機能とＰＤＡデバイス機能とを組み合わせたもの）、消費者デバイス、車両デバイス、非車両デバイス、モバイル又はポータブルデバイス、非モバイル又は非ポータブルデバイス、携帯電話、セルラ電話、ＰＣＳデバイス、ワイヤレス通信デバイスを組み込んだＰＤＡデバイス、モバイル又はポータブルＧＰＳデバイス、ＤＶＢデバイス、比較的小さなコンピューティングデバイス、非デスクトップコンピュータ、「キャリースモールリブラージ」（Carry  Small  Live  Large：ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「Ｏｒｉｇａｍｉ」デバイス又はコンピューティングデバイス、動的に構成可能なコンピューティング（ＤＣＣ）をサポートするデバイス、コンテキスト認識デバイス、ビデオデバイス、オーディオデバイス、Ａ／Ｖデバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、ブロードキャストＨＤ受信機、ビデオソース、オーディオソース、ビデオシンク、オーディオシンク、ステレオチューナ、ブロードキャスト無線受信機、フラットパネルディスプレイ、パーソナルメディアプレーヤ（ＰＭＰ）、デジタルビデオカメラ（ＤＶＣ）、デジタルオーディオプレーヤ、スピーカ、オーディオ受信機、オーディオ増幅器、ゲームデバイス、データソース、データシンク、デジタルスチルカメラ（ＤＳＣ）、メディアプレーヤ、スマートフォン、テレビ受像機、音楽プレーヤ、又は同様のものなどを含み得る。
【００２６】
いくつかの例示的な実施形態において、デバイス１０２は、例えば、１つ又は複数のプロセッサ１９１、入力ユニット１９２、出力ユニット１９３、メモリユニット１９４、及びストレージユニット１９５を含み得るか、及び／又は、デバイス１４０は、例えば、１つ又は複数のプロセッサ１８１、入力ユニット１８２、出力ユニット１８３、メモリユニット１８４、及びストレージユニット１８５を含み得る。デバイス１０２及び／又はデバイス１４０は、任意に、他の適切なハードウェアコンポーネント及び／又はソフトウェアコンポーネントを含み得る。いくつかの例示的な実施形態において、デバイス１０２及び／又はデバイス１４０の１つ又は複数のコンポーネントの一部又は全部は、共通の筐体又はパッケージングの内部に含まれることができ、１つ又は複数のワイヤードリンク又はワイヤレスリンクを用いて、相互接続され得るか又は動作可能に関連付けられ得る。他の実施形態では、デバイス１０２及び／又はデバイス１４０の１つ又は複数のコンポーネントは、複数の又は別個のデバイスの間に分配され得る。
【００２７】
プロセッサ１９１及び／又はプロセッサ１８１は、例えば、中央処理装置（ＣＰＵ）、デジタル信号プロセッサ（ＤＳＰ）、１つ若しくは複数のプロセッサコア、シングルコアプロセッサ、デュアルコアプロセッサ、マルチコアプロセッサ、マイクロプロセッサ、ホストプロセッサ、コントローラ、複数のプロセッサ若しくはコントローラ、チップ、マイクロチップ、１つ若しくは複数の回路、回路素子、論理ユニット、集積回路（ＩＣ）、特殊用途向けＩＣ（ＡＳＩＣ）、又は、いずれかの他の適切な多目的若しくは特定のプロセッサ若しくはコントローラを含む。例えば、プロセッサ１９１は、例えばデバイス１０２のオペレーティングシステム（ＯＳ）の命令を、及び／又は、１つ若しくは複数の適切なアプリケーションの命令を、実行する。例えば、プロセッサ１８１は、例えばデバイス１４０のオペレーティングシステム（ＯＳ）の命令を、及び／又は、１つ若しくは複数の適切なアプリケーションの命令を、実行する。
【００２８】
入力ユニット１９２及び／又は入力ユニット１８２は、例えば、キーボード、キーパッド、マウス、タッチスクリーン、タッチパッド、トラックボール、スタイラス、マイクロフォン、又は、他の適切なポインティングデバイス若しくは入力デバイスを含む。出力ユニット１９３及び／又は出力ユニット１８３は、例えば、モニタ、スクリーン、タッチスクリーン、フラットパネルディスプレイ、発光ダイオード（ＬＥＤ）ディスプレイユニット、液晶ディスプレイ（ＬＣＤ）ディスプレイユニット、プラズマディスプレイユニット、１つ若しくは複数のオーディオスピーカ若しくはイヤフォン、又は他の適切な出力デバイスを含む。
【００２９】
メモリユニット１９４及び／又はメモリユニット１８４は、例えば、ランダムアクセスメモリ（ＲＡＭ）、リードオンリメモリ（ＲＯＭ）、ダイナミックＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、ショートタームメモリユニット、ロングタームメモリユニット、又は他の適切なメモリユニットを含む。ストレージユニット１９５及び／又はストレージユニット１８５は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、又は、他の適切な取り外し可能なストレージユニット若しくは取り外し不可能なストレージユニットを含む。メモリユニット１９４及び／又はストレージユニット１９５は、例えば、デバイス１０２によって処理されたデータを記憶することができる。メモリユニット１８４及び／又はストレージユニット１８５は、例えば、デバイス１４０によって処理されたデータを記憶することができる。
【００３０】
いくつかの例示的な実施形態では、デバイス１０２及びデバイス１４０は、デバイス１０２、デバイス１４０、及び／又は１つ若しくは複数の他のワイヤレス通信デバイスの間でワイヤレス通信を実行するために、１つ又は複数の無線装置を含むことができる。例えば、デバイス１０２は、少なくとも１つの無線装置１１４を含むことができるか、及び／又は、デバイス１４０は、少なくとも１つの無線装置１４４を含むことができる。
【００３１】
いくつかの例示的な実施形態では、無線装置１１４及び／又は無線装置１４４は、ワイヤレス通信信号、ＲＦ信号、フレーム、ブロック、伝送ストリーム、パケット、メッセージ、データアイテム、及び／若しくはデータを受信するための回路並びに／又はロジックを含む、１つ若しくは複数のワイヤレス受信機（Ｒｘ）を含み得る。例えば、無線装置１１４は受信機１１６を含み得るか、及び／又は、無線装置１４４は受信機１４６を含み得る。
【００３２】
いくつかの例示的な実施形態では、無線装置１１４及び／又は無線装置１４４は、ワイヤレス通信信号、ＲＦ信号、フレーム、ブロック、伝送ストリーム、パケット、メッセージ、データアイテム、及び／若しくはデータを送信するための回路並びに／又はロジックを含む、１つ若しくは複数のワイヤレス送信機（Ｔｘ）を含み得る。例えば、無線装置１１４は送信機１１８を含み得るか、及び／又は、無線装置１４４は受信機１４６を含み得る。
【００３３】
いくつかの例示的な実施形態では、無線装置１１４及び／又は無線装置１４４は、変調要素、復調要素、増幅器、アナログデジタル及びデジタルアナログコンバータ、フィルタ、並びに／又は同様のものを含むことができる。例えば、無線装置１１４及び／又は無線装置１４４は、ワイヤレスネットワークインターフェースカード（ＮＩＣ）などを含むことができるか、又は、ワイヤレスネットワークインターフェースカード（ＮＩＣ）などの一部として実装されることができる。
【００３４】
いくつかの例示的な実施形態では、無線装置１１４及び／又は無線装置１４４は、それぞれ、１つ若しくは複数のアンテナ１０７及び／又はアンテナ１４７を含むことができるか、又は、それぞれ、１つ若しくは複数のアンテナ１０７及び／又はアンテナ１４７と関連付けられることができる。
【００３５】
ある例では、デバイス１０２は、単一のアンテナ１０７を含み得る。別の例では、デバイス１０２は、２つ又はそれより多くのアンテナ１０７を含み得る。
【００３６】
ある例では、デバイス１４０は、単一のアンテナ１４７を含み得る。別の例では、デバイス１４０は、２つ又はそれより多くのアンテナ１４７を含み得る。
【００３７】
アンテナ１０７及び／又はアンテナ１４７は、ワイヤレス通信信号、ブロック、フレーム、伝送ストリーム、パケット、メッセージ及び／又はデータを、送信及び／又は受信するのに適したいずれかのタイプのアンテナを含み得る。例えば、アンテナ１０７及び／又はアンテナ１４７は、１つ又は複数のアンテナ要素、コンポーネント、ユニット、アセンブリ及び／又はアレイの、いずれかの適切な構成、構造及び／又は配置を含み得る。アンテナ１０７及び／又はアンテナ１４７は、例えばビームフォーミング技術を用いるなど、例えば、指向性通信に適したアンテナを含むことができる。例えば、アンテナ１０７及び／又はアンテナ１４７は、位相アレイアンテナ、複数要素アンテナ、１組のスイッチトビームアンテナ、及び／又は同様のものを含み得る。いくつかの実施形態では、アンテナ１０７及び／又はアンテナ１４７は、別々の送信アンテナ要素と受信アンテナ要素とを用いて、送信機能と受信機能とを実装することができる。いくつかの実施形態では、アンテナ１０７及び／又はアンテナ１４７は、共通の及び／又は一体化された送受信要素を用いて、送信機能と受信機能とを実装することができる。
【００３８】
いくつかの例示的な実施形態では、ＷＭ１０３は、２つ又はそれより多くのｍｍ波チャネルを含むことができる。
【００３９】
いくつかの例示的な実施形態では、２つ又はそれより多くのｍｍ波チャネルが、ＤＭＧチャネルを含むことができる。
【００４０】
いくつかの例示的な実施形態では、２つ又はそれより多くのｍｍ波チャネルが、６０ＧＨｚ帯を超えるｍｍ波チャネルを含むことができる。
【００４１】
いくつかの例示的な実施形態では、デバイス１０２及び１４０は、広帯域幅ｍｍ波チャネルを通じて通信するように構成され得る。
【００４２】
いくつかの例示的な実施形態では、広帯域幅ｍｍ波チャネルは、複数のｍｍ波チャネルを含むことができる。
【００４３】
ある例では、広帯域幅ｍｍ波チャネルは、２つのｍｍ波チャネルを含むことができる。
【００４４】
別の例では、広帯域幅ｍｍ波チャネルは、２つよりも多くの、例えば、３つのｍｍ波チャネルを含むことができる。
【００４５】
いくつかの例示的な実施形態では、複数のｍｍ波チャネルは、例えば周波数が連続的な、２つ又はそれより多くの連続的なチャネルを含むことができる。
【００４６】
いくつかの例示的な実施形態では、複数のｍｍ波チャネルは、２つ又はそれより多くの分離されたチャネルを含むことができる。
【００４７】
いくつかの例示的な実施形態では、デバイス１０２及び／又はデバイス１４０は、広帯域幅ｍｍ波チャネルを通じて通信される広帯域幅フレームを符号化及び／又は復号するように構成され得る。
【００４８】
いくつかの例示的な実施形態では、デバイス１５０が、広帯域幅ｍｍ波チャネルを通じて通信される広帯域幅フレームを符号化及び／又は復号できない場合があり得る。
【００４９】
ある例では、デバイス１５０（「レガシーデバイス」とも称される）は、広帯域幅ｍｍ波チャネルを通じた通信をサポートしない第１のプロトコルに従って動作することができ、並びに／又は、デバイス１０２及び／若しくはデバイス１４０（「非レガシーデバイス」若しくは「次世代デバイス」とも称される）は、広帯域幅ｍｍ波チャネルを通じた通信をサポートする第２のプロトコルに従って動作することができる。
【００５０】
例えば、デバイス１５０は、ＩＥＥＥ８０２．１１ａｄ標準に従って動作することができ、並びに／又は、デバイス１０２及び／若しくはデバイス１４０は、次世代の６０ＧＨｚ標準、例えばＩＥＥＥ８０２．１１ａｄ標準の次世代、及び／又はいずれかの他の標準若しくはプロトコルに従って動作することができる。
【００５１】
いくつかの例示的な実施形態では、デバイス１０２とデバイス１４０との間の通信は、デバイス１５０の間の通信を妨害する可能性があるか、及び／又は、デバイス１５０の間の通信との共存問題を生じ得る。
【００５２】
ある例では、デバイス１５０は、例えば、デバイス１５０が複数のｍｍ波チャネルのうちの１つ若しくは複数のｍｍ波チャネルを通じて通信する場合に、広帯域幅ｍｍ波チャネルを通じた通信中に、広帯域幅ｍｍ波チャネルを通じたデバイス１０２とデバイス１４０との間の通信を認識していない可能性があるか、及び／又は、デバイス１０２とデバイス１４０との間の通信を妨害する可能性がある。
【００５３】
いくつかの例示的な実施形態は、例えば、レガシーデバイスと非レガシーデバイスとの間の共存など、デバイス１０２とデバイス１４０とデバイス１５０との間の共存を可能にすることができる。
【００５４】
いくつかの例示的な実施形態では、デバイス１０２及び／又はデバイス１４０は、例えば後述されるように、例えば、複数のｍｍ波チャネルを予約するために、そしてレガシーデバイスと次世代デバイスとの間の共存を可能にするために、予約フレームを通信することができる。
【００５５】
いくつかの例示的な実施形態では、デバイス１０２及び／又はデバイス１４０は、例えば後述されるように、デバイス１０２及び／又はデバイス１４０の１つ又は複数の機能、例えばデバイス１０２及び／若しくはデバイス１４０及び／若しくは他のデバイスの間の広帯域幅ｍｍ波チャネルを通じた通信のような、例えば１つ又は複数の通信機能、並びに／又はいずれかの他の機能を制御するように構成されたコントローラを含むことができる。例えば、デバイス１０２は、コントローラ１２４を含むことができるか、及び／又は、デバイス１４０は、コントローラ１５４を含むことができる。
【００５６】
いくつかの例示的な実施形態では、コントローラ１２４及び／又はコントローラ１５４は、例えば、回路、メモリ回路、媒体アクセス制御（Medium  Access  Control：ＭＡＣ）回路、物理層（Physical  Layer：ＰＨＹ）回路、及び／又はいずれかの他の回路を含む１つ若しくは複数のプロセッサなど、コントローラ１２４及び／又はコントローラ１５４の機能を実行するように構成された回路及び／又はロジックを含み得る。追加的に又は代替的に、コントローラ１２４及び／又はコントローラ１５４の１つ又は複数の機能は、例えば後述されるように、ロジックによって実装されることができ、このロジックは、マシン及び／又は１つ若しくは複数のプロセッサによって実行されることができる。
【００５７】
いくつかの例示的な実施形態では、デバイス１０２は、デバイス１０２によって通信される１つ若しくは複数のメッセージを生成するか、メッセージを処理するか、及び／又はメッセージにアクセスするように構成されたメッセージプロセッサ１２８を含み得る。
【００５８】
ある例では、メッセージプロセッサ１２８は、例えば後述されるように、デバイス１０２によって送信されることになる１つ若しくは複数のメッセージを生成するように構成され得るか、並びに／又は、メッセージプロセッサ１２８は、デバイス１０２によって受信される１つ若しくは複数のメッセージにアクセスするか、及び／若しくは、デバイス１０２によって受信される１つ若しくは複数のメッセージを処理するように構成され得る。
【００５９】
いくつかの例示的な実施形態では、デバイス１４０は、デバイス１４０によって通信される１つ若しくは複数のメッセージを生成するか、メッセージを処理するか、及び／又はメッセージにアクセスするように構成されたメッセージプロセッサ１５８を含み得る。
【００６０】
ある例では、メッセージプロセッサ１５８は、例えば後述されるように、デバイス１４０によって送信されることになる１つ若しくは複数のメッセージを生成するように構成され得るか、並びに／又は、メッセージプロセッサ１５８は、デバイス１４０によって受信される１つ若しくは複数のメッセージにアクセスするか、及び／若しくは、デバイス１４０によって受信される１つ若しくは複数のメッセージを処理するように構成され得る。
【００６１】
いくつかの例示的な実施形態では、メッセージプロセッサ１２８及び／又はメッセージプロセッサ１５８は、例えば、回路、メモリ回路、媒体アクセス制御（ＭＡＣ）回路、物理層（ＰＨＹ）回路、及び／又はいずれかの他の回路を含む１つ若しくは複数のプロセッサなど、メッセージプロセッサ１２８及び／又はメッセージプロセッサ１５８の機能を実行するように構成された回路及び／又はロジックを含み得る。追加的に又は代替的に、近傍の推定器のメッセージプロセッサ１２８及び／又はメッセージプロセッサ１５８の１つ又は複数の機能は、例えば後述されるように、ロジックによって実装されることができ、このロジックは、マシン及び／又は１つ若しくは複数のプロセッサによって実行されることができる。
【００６２】
いくつかの例示的な実施形態では、メッセージプロセッサ１２８の機能の少なくとも一部は無線装置１１４の一部として実装され得るか、及び／又は、メッセージプロセッサ１５８の機能の少なくとも一部は無線装置１４４の一部として実装され得る。
【００６３】
いくつかの例示的な実施形態では、メッセージプロセッサ１２８の機能の少なくとも一部はコントローラ１２４の一部として実装され得るか、及び／又は、メッセージプロセッサ１５８の機能の少なくとも一部はコントローラ１５４の一部として実装され得る。
【００６４】
他の実施形態では、メッセージプロセッサ１２８の機能はデバイス１０２のいずれかの他の要素の一部として実装され得るか、及び／又は、メッセージプロセッサ１５８の機能はデバイス１４０のいずれかの他の要素の一部として実装され得る。
【００６５】
いくつかの例示的な実施形態では、メッセージプロセッサ１２８は、広帯域幅ｍｍ波チャネルを通じて伝送されることになる少なくとも１つの広帯域幅データフレーム１１１を生成することができる。
【００６６】
いくつかの例示的な実施形態では、メッセージプロセッサ１２８は、広帯域幅ｍｍ波チャネルを通じて伝送されることになる複数の広帯域幅データフレーム１１１を生成することができる。
【００６７】
いくつかの例示的な実施形態では、コントローラ１２４は、例えば後述されるように、例えば、広帯域幅ｍｍ波チャネルを通じた広帯域幅データフレーム１１１の伝送の前に、送信機１１８に１つ又は複数の予約フレームを送信させることができる。
【００６８】
いくつかの例示的な実施形態では、送信機１１８は、複数のｍｍ波チャネルを通じて複数の予約フレームを送信することができる。
【００６９】
ある例では、送信機１１８は、例えば、広帯域幅ｍｍ波チャネルを予約するために、複数のｍｍ波チャネルを通じて複数の予約フレームを送信することができる。
【００７０】
いくつかの例示的な実施形態では、複数の予約フレームは、複数のｍｍ波チャネルのうちのそれぞれのチャネルを通じて復号可能であり得る。
【００７１】
ある例では、複数の予約フレームは、例えば、デバイス１５０が複数の予約フレームを復号できるようにするために、複数のｍｍ波チャネルのうちのそれぞれのチャネルを通じて復号可能であり得る。
【００７２】
いくつかの例示的な実施形態では、複数の予約フレームの各予約フレームは、広帯域幅データフレーム１１１の継続時間に対応する継続時間値を含むことができる。
【００７３】
いくつかの例示的な実施形態では、継続時間値は、少なくとも、広帯域幅データフレーム１１１の伝送の継続時間をカバーする継続時間を指示することができる。
【００７４】
いくつかの例示的な実施形態では、継続時間値は、少なくとも、広帯域幅データフレーム１１１の伝送と、例えば広帯域幅データフレーム１１１の伝送の後のショートインターフレームスペース（Short  InterFrame  Space：ＳＩＦＳ）との継続時間をカバーする継続時間を指示することができる。
【００７５】
いくつかの例示的な実施形態では、継続時間値は、少なくとも、広帯域幅データフレーム１１１の伝送と、第１のＳＩＦＳと、広帯域幅データフレーム１１１に応答する応答データフレームの伝送との継続時間をカバーする継続時間を指示することができる。応答データフレームは、例えば、広帯域幅データフレームを含み得る。
【００７６】
いくつかの例示的な実施形態では、継続時間値は、広帯域幅データフレーム１１１の伝送と、広帯域幅データフレーム１１１への応答と、別の広帯域幅データフレームとを含む一連の伝送をカバーする継続時間を指示することができる。
【００７７】
いくつかの例示的な実施形態では、継続時間値は、その間に広帯域幅データフレーム１１１が伝送され得る伝送機会（ＴｘＯＰ）の継続時間を指示することができる。
【００７８】
いくつかの例示的な実施形態では、継続時間値は、ＴｘＯＰの全体をカバーし得る。
【００７９】
ある例では、継続時間値は、広帯域幅データフレーム１１１の伝送の継続時間、第１のＳＩＦＳ、応答データフレームを送信する時間期間、例えば応答フレームの伝送の後の第２のＳＩＦＳ、及び／又はＴｘＯＰの残り時間の全体時間を含み得る。
【００８０】
他の実施形態では、予約フレームの継続時間フィールドは、いずれかの他の継続時間を含み得る。
【００８１】
いくつかの例示的な実施形態では、複数の予約フレームの各予約フレームは、広帯域幅ｍｍ波チャネルを通じて広帯域幅データフレームが伝送されることになることを指示する広帯域幅指示値を含み得る。
【００８２】
いくつかの例示的な実施形態では、広帯域幅指示値は、例えば後述されるように、ＷＭ１０３の２つ又はそれより多くのｍｍ波チャネルのうちのどのｍｍ波チャネルを通じて広帯域幅データフレーム１１１が伝送されることになるのか、を指示することができる。
【００８３】
ある例では、ＷＭ１０３は、第１のｍｍ波チャネルと、第２のｍｍ波チャネルと、第３のｍｍ波チャネルと、第４のｍｍ波チャネルとを含むことができ、広帯域幅ｍｍ波チャネルは、第２及び第３のｍｍ波チャネルを含むことができる。この例によると、送信機１１８は、第２のｍｍ波チャネルを予約するために、第２のｍｍ波チャネルを通じて予約フレーム１１３を送信することができ、第３のｍｍ波チャネルを予約するために、第３のｍｍ波チャネルを通じて予約フレーム１１５を送信することができる。予約フレーム１１３及び／又は１１５は、第２及び第３のｍｍ波チャネルを指示する広帯域幅指示値と、その間に広帯域幅データフレーム１１１が伝送されることになるＴｘＯＰの継続時間とを含むことができる。
【００８４】
いくつかの例示的な実施形態では、デバイス１５０は、複数の予約フレームのうちの少なくとも１つの予約フレームを受信することができる。ある例では、デバイス１５０は、予約フレーム１１５を受信することができる。
【００８５】
いくつかの例示的な実施形態では、デバイス１５０はフレーム１１５を復号することができ、その間に広帯域幅データフレーム１１１が伝送されることになるＴｘＯＰの継続時間と、広帯域幅ｍｍ波チャネルに含まれる複数のｍｍ波チャネルとを認識することができる。結果的に、デバイス１５０が、広帯域幅データフレーム１１１の伝送を妨害することはない。
【００８６】
他の実施形態では、デバイス１５０は、デバイス１０２及び／又はデバイス１４０の間で通信される別のフレーム、例えば後述されるような予約フレームへの応答、及び／又は受信確認フレームを復号することができるとともに、ＴｘＯＰの継続時間を認識することができる。
【００８７】
いくつかの例示的な実施形態では、デバイス１４０は、複数のｍｍ波チャネルのうちの少なくとも１つのｍｍ波チャネルを通じて、複数の予約フレームのうちの少なくとも１つの予約フレームを受信することができる。
【００８８】
ある例では、受信機１４６は、第２のｍｍ波チャネルを通じて予約フレーム１１３を受信することができるか、及び／又は、第３のｍｍ波チャネルを通じて予約フレーム１１５を受信することができる。
【００８９】
いくつかの例示的な実施形態では、メッセージプロセッサ１５８は、例えば、少なくとも１つの予約フレームに応答して、少なくとも１つの応答フレームを生成することができる。
【００９０】
いくつかの例示的な実施形態では、応答フレームは、予約フレームの受信確認をするように構成されていることができる。
【００９１】
いくつかの例示的な実施形態では、送信機１４８は、少なくとも１つのｍｍ波チャネルを通じて少なくとも１つの応答フレームを送信することができる。
【００９２】
いくつかの例示的な実施形態では、少なくとも１つの応答フレームは、継続時間フィールドを含むことができる。
【００９３】
いくつかの例示的な実施形態では、継続時間フィールドは、制御フレームにおける継続時間フィールドの全体時間から広帯域幅データフレーム１１１の伝送の継続時間と第１のＳＩＦＳとを減算したものを含む全体の応答時間を含むことができる。他の実施形態では、応答フレームの継続時間フィールドは、いずれかの他の継続時間を含むことができる。
【００９４】
ある例では、メッセージプロセッサ１５８は、例えば予約フレーム１１３に応答して応答フレーム１１７を生成することができ、送信機１４８は、第２のｍｍ波チャネルを通じて応答フレーム１１７を送信することができるか、及び／又は、メッセージプロセッサ１５８は、例えば予約フレーム１１５に応答して応答フレーム１１９を生成することができ、送信機１４８は、第３のｍｍ波チャネルを通じて応答フレーム１１９を送信することができる。
【００９５】
いくつかの例示的な実施形態では、デバイス１５０は、応答フレーム１１７及び／又は１１９のうちの少なくとも１つの応答フレームを受信することができる。ある例では、デバイス１５０は、応答フレーム１１７を受信することができる。
【００９６】
いくつかの例示的な実施形態では、デバイス１５０は、例えば前述されるように、応答フレーム１１７を復号することができるとともに、その間に広帯域幅データフレーム１１１が伝送されることになるＴｘＯＰの継続時間を認識することができる。
【００９７】
いくつかの例示的な実施形態では、受信機１１６は、例えば広帯域幅データフレーム１１１の伝送の前に複数のｍｍ波チャネルを通じて複数の応答フレームを受信することができる。
【００９８】
ある例では、受信機１１６は、第２のｍｍ波チャネルを通じて応答フレーム１１７を受信することができ、第３のｍｍ波チャネルを通じて応答フレーム１１９を受信することができる。
【００９９】
いくつかの例示的な実施形態では、送信機１１８は、広帯域幅ｍｍ波チャネルを通じて、広帯域幅データフレーム１１１を送信することができる。
【０１００】
いくつかの例示的な実施形態では、送信機１１８は、例えば応答フレーム１１７及び／又は１１９に基づいて広帯域幅データフレーム１１１を送信することができ、応答フレーム１１７及び／又は１１９は、広帯域幅ｍｍ波チャネルを通じて広帯域幅データフレーム１１１を送信する要求の受信確認をする。
【０１０１】
いくつかの例示的な実施形態では、受信機１４６は、広帯域幅ｍｍ波チャネルを通じて広帯域幅データフレーム１１１を受信することができる。
【０１０２】
いくつかの例示的な実施形態では、メッセージプロセッサ１５８は、広帯域幅データフレーム１１１を処理することができる。
【０１０３】
いくつかの例示的な実施形態では、送信機１１８は、広帯域幅データフレーム１１１の伝送完了を指示するために、複数のｍｍ波チャネルを通じて複数の無競合終了（Contention  Free−End：ＣＦ−Ｅｎｄ、非競合終了）フレームを送信することができる。
【０１０４】
いくつかの例示的な実施形態では、送信機１１８は、例えば広帯域幅データフレーム１１１の伝送のために予約されていた複数のｍｍ波チャネルを解放するために、複数の予約フレームを送信するのに用いられる同じ複数のｍｍ波チャネルを通じて、複数のＣＦ−Ｅｎｄフレームを送信することができる。
【０１０５】
いくつかの例示的な実施形態では、デバイス１５０は、複数のＣＦ−Ｅｎｄフレームからの少なくとも１つのＣＦ−Ｅｎｄフレームを受信することができる。
【０１０６】
いくつかの例示的な実施形態では、デバイス１５０は、例えば、一度ＣＦ−Ｅｎｄフレームが受信されると、複数のｍｍ波チャネルを通じて通信することを許可されることができる。
【０１０７】
ある例では、送信機１１８は、広帯域幅データフレーム１１１の伝送完了を指示するために、第２及び第３のｍｍ波チャネルを通じてＣＦ−Ｅｎｄフレームを送信することができる。デバイス１５０は、ＣＦ−Ｅｎｄフレームの少なくとも１つを受信することができ、これにより、デバイス１５０は、第２及び／又は第３のｍｍ波チャネルを通じて通信することが可能になることができる。
【０１０８】
いくつかの例示的な実施形態では、送信機１１８は、制御ｍｍ波チャネルを通じて、予約フレームのうちの少なくとも１つの予約フレームを送信することができる。制御ｍｍ波チャネルは、例えば所定のチャネルを含むことができ、この所定のチャネルは、制御メッセージのために指定されることができる。例えば、システム１００のデバイスは、制御チャネルをリッスンするように、例えば１つ又は複数の制御メッセージを受信するように構成されることができる。
【０１０９】
ある例では、送信機１１８は、制御ｍｍ波チャネルを通じて予約フレーム１１５を送信することができる。
【０１１０】
いくつかの例示的な実施形態では、受信機１４６は、制御ｍｍ波チャネルを通じて少なくとも１つの予約フレームを受信することができるとともに、送信機１４８は、例えば少なくとも１つの予約フレームに応答して、制御ｍｍ波チャネルを通じて応答フレームをデバイス１０２に向けて送信することができる。
【０１１１】
ある例では、受信機１４６は、制御ｍｍ波チャネルを通じて予約フレーム１１５を受信することができるとともに、例えば予約フレーム１１５に応答して、制御ｍｍ波チャネルを通じて応答フレーム１１９をデバイス１０２に向けて送信することができる。
【０１１２】
これらの実施形態によると、制御チャネルを通じて予約フレームを送信することにより、システム１００のデバイスが、予約フレームを受信することが可能になり、また、予約フレームによって指示される継続時間に基づいて、複数のｍｍ波チャネルを通じた通信を回避することが可能になる。例えば、予約フレームは、例えばこの予約フレームのＰＨＹヘッダ及び／又はＭＡＣヘッダの一部として、どのチャネルが予約されることになるかを指示する情報を含むことができる。
【０１１３】
いくつかの例示的な実施形態では、複数の予約フレームは、送信要求（Request  to  Send：ＲＴＳ）フレームを含むことができる。
【０１１４】
いくつかの例示的な実施形態では、複数の応答フレームは、送信可（Clear To Send：ＣＴＳ）フレームを含むことができる。
【０１１５】
ＲＴＳフレーム２０２の構造を概略的に図解する図２Ａと、ＣＴＳフレーム２０４の構造を概略的に図解する図２Ｂとを、いくつかの例示的な実施形態に従って参照する。
【０１１６】
ある例では、送信機１１８（図１）は、複数のｍｍ波チャネルを通じて複数のＲＴＳフレーム２０２を送信することができるか、及び／又は、受信機１１６（図１）は、複数のｍｍ波チャネルを通じて複数のＣＴＳフレーム２０４を受信することができる。
【０１１７】
図２Ａに示されているように、ＲＴＳフレーム２０２は、その間に広帯域幅データフレーム１１１（図１）が伝送されることになるＴｘＯＰの継続時間を指示する継続時間フィールド２１２を含み得る。
【０１１８】
図２Ｂに示されているように、ＣＴＳフレーム２０４は、その間に広帯域幅データフレーム１１１（図１）が伝送されることになるＴｘＯＰの継続時間を指示する継続時間フィールド２１４を含み得る。
【０１１９】
再び図１を参照すると、いくつかの例示的な実施形態では、広帯域幅指示値は、予約フレームの制御物理層（ＰＨＹ）ヘッダの１つ又は複数のビットによって表され得る。
【０１２０】
いくつかの例示的な実施形態では、広帯域幅指示値は、ＲＴＳフレームの制御ＰＨＹヘッダの１つ又は複数のビットによって表され得る。
【０１２１】
いくつかの例示的な実施形態では、制御ＰＨＹヘッダは、例えば下記の表１の複数のフィールドを含み得る。
【０１２２】
【表１】
2018107820.tif 000003
【０１２３】
いくつかの例示的な実施形態では、広帯域幅指示値は、表１のＰＨＹヘッダの予約されたビットのうちのビットによって表され得る。
【０１２４】
いくつかの例示的な実施形態では、予約されたビットは、広帯域幅ｍｍ波チャネルを通じて広帯域幅データフレーム１１１が伝送されることになることを指示するように構成され得る。例えば、このビットは、広帯域幅ｍｍ波チャネルを通じて広帯域幅データフレーム１１１が伝送されることになることを指示するために、例えば「１」などの所定の値に設定され得る。
【０１２５】
いくつかの例示的な実施形態では、表１のＰＨＹヘッダにおける１つ又は複数のフィールドは、広帯域幅ｍｍ波チャネルに含まれる複数のｍｍ波チャネルを指示するのに用いられ得る。
【０１２６】
ある実施形態では、表１のＰＨＹヘッダにおけるスクランブラ初期化ビットのうちの２つのビットは、広帯域幅データフレーム１１１を送信するのにどのチャネルが用いられることになるかを指示するのに用いられ得る。
【０１２７】
ある例では、表１のＰＨＹヘッダにおけるスクランブラ初期化ビットのうちのこれら２つのビットは、チャネルの４つの組み合わせを指示するように構成され得る。
【０１２８】
いくつかの例示的な実施形態では、これら４つの組み合わせの各組み合わせは、例えば、パーソナルベーシックサービスセットコーディネーションポイント（Personal  Basic  Service  Set  Coordination  Point：ＰＣＰ）によって用いられるチャネル、例えばチャネル１に加えて、少なくとも１つのチャネルを指示することができる。
【０１２９】
ある例では、２つのスクランブラ初期化ビットの第１の組み合わせ、例えば「００」は、例えばチャネル１＋２であるチャネル１とチャネル２との組み合わせを指示することができ、２つのスクランブラ初期化ビットの第２の組み合わせ、例えば「０１」は、例えばチャネル１＋２＋３であるチャネル１とチャネル２とチャネル３との組み合わせを指示することができ、２つのスクランブラ初期化ビットの第３の組み合わせ、例えば「１０」は、例えばチャネル１＋３であるチャネル１とチャネル３との組み合わせを指示することができ、２つのスクランブラ初期化ビットの第４の組み合わせ、例えば「１１」は、例えばチャネル１＋４であるチャネル１とチャネル４との組み合わせを指示することができる。他の実施形態では、表１のＰＨＹヘッダにおけるスクランブラ初期化ビットのうちの２つのビットは、チャネルのいずれか他の組み合わせを指示するいずれか他の値を含み得る。
【０１３０】
他の実施形態では、例えばＭＡＣ情報フィールドの後に、広帯域幅データフレーム１１１を送信するのにどのチャネルが用いられているかを指示するために、追加的なバイトが予約フレームに追加され得る。ある例では、追加バイトの４つの下位ビットは、どのチャネルが用いられているのか、例えば各チャネルに対するビットを指示することができる。別の例では、チャネルを指示するのに、いずれかの他のビットが用いられ得る。
【０１３１】
別の実施形態では、ＲＴＳフレームのヘッダにおける複数の低密度パリティチェック（Low-density  Parity-Check：ＬＤＰＣ）ビットのうちの複数のビット、例えば３ビットが、広帯域幅データフレーム１１１を送信するのにどのチャネルが用いられているか、例えば各チャネルに対するビットを指示するのに用いられ得る。３つのＬＤＰＣビットを用いることで、広帯域幅データフレーム１１１のパケットエラーレートは、僅かに上昇し得る。デバイス１０２及び／又は１４０は、例えば、広帯域幅データフレーム１１１を復号するときに、これら３つのＬＤＰＣビットをゼロに設定し、ｍｍ波チャネルが用いられていることを指示するために、ｍｍ波チャネルに対応するビットを「１」に設定することができる。
【０１３２】
いくつかの例示的な実施形態に従い、ワイヤレス通信デバイス３０２とワイヤレス通信デバイス３４０との間における広帯域幅ｍｍ波チャネル３００を通じた広帯域幅データフレーム３１１の通信を保護することを概略的に図解している、図３を参照する。例えば、広帯域幅データフレーム３１１は、広帯域幅データフレーム１１１（図１）の機能を実行し、ワイヤレス通信デバイス３０２は、ワイヤレス通信デバイス１０２（図１）の機能を実行し、及び／又はワイヤレス通信デバイス３４０は、ワイヤレス通信デバイス１４０（図１）の機能を実行することができる。
【０１３３】
図３に示されているように、広帯域幅ｍｍ波チャネル３００は、第１のｍｍ波チャネル３１０と、第２のｍｍ波チャネル３２０とを含み得る。
【０１３４】
図３に示されているように、デバイス３０２は、ｍｍ波チャネル３１０を通じて第１のＲＴＳフレーム３１３をデバイス３４０に向けて送信することができ、ｍｍ波チャネル３２０を通じて第２のＲＴＳフレーム３１５をデバイス３４０に向けて送信することができる。例えば、ＲＴＳフレーム３１３は、予約フレーム１１３（図１）の機能を果たすことができるか、及び／又は、ＲＴＳフレーム３１５は、予約フレーム１１５（図１）の機能を果たすことができる。
【０１３５】
図３に示されているように、デバイス３４０は、例えばＲＴＳフレーム３１３に応答してｍｍ波チャネル３１０を通じて第１のＣＴＳフレーム３１７を送信することができ、例えばＲＴＳフレーム３１５に応答してｍｍ波チャネル３２０を通じて第２のＣＴＳフレーム３１９を送信することができる。例えば、ＣＴＳフレーム３１７は、応答フレーム１１７（図１）の機能を実行し、及び／又は、ＣＴＳフレーム３１９は、応答フレーム１１９（図１）の機能を果たすことができる。
【０１３６】
図３に示されているように、デバイス３０２は、広帯域幅ｍｍ波チャネル３００を通じて広帯域幅データフレーム３１１をデバイス３４０に向けて送信することができる。
【０１３７】
図３に示されているように、デバイス３４０は、例えば広帯域幅データフレーム３１１に応答して、広帯域幅ｍｍ波チャネル３００を通じて広帯域幅データフレーム３２７をデバイス３０２に向けて送信することができる。
【０１３８】
いくつかの例示的な実施形態では、ＲＴＳフレーム３１３及び／又は３１５は、広帯域幅データフレーム３１１の継続時間に対応する継続時間値を含み得る。
【０１３９】
いくつかの例示的な実施形態では、継続時間値は、少なくとも、広帯域幅データフレーム３１１の伝送の継続時間、例えばＣＴＳ３１７と広帯域幅データフレーム３１１との継続時間をカバーし得る。
【０１４０】
いくつかの例示的な実施形態では、継続時間値は、広帯域幅データフレーム３１１の伝送の継続時間よりも長い継続時間をカバーし得る。
【０１４１】
いくつかの例示的な実施形態では、継続時間値は、ＣＴＳ３１７と、広帯域幅データフレーム３１１と、例えば広帯域幅データフレーム３１１の伝送の後のＳＩＦＳとの伝送をカバーし得る。
【０１４２】
いくつかの例示的な実施形態では、継続時間値は、少なくとも、ＣＴＳ３１７の伝送と、広帯域幅データフレーム１１１と、第１のＳＩＦＳと、広帯域幅データフレーム３２７の伝送と、広帯域幅データフレーム３２７の後の第２のＳＩＦＳとの継続時間をカバーし得る。
【０１４３】
いくつかの例示的な実施形態では、継続時間値は、その間に広帯域幅データフレーム３１１と広帯域幅データフレーム３２７とが伝送され得るＴｘＯＰをカバーし得る。
【０１４４】
いくつかの例示的な実施形態では、継続時間値は、ＴｘＯＰの全体の継続時間をカバーし得る。
【０１４５】
いくつかの例示的な実施形態では、継続時間値は、広帯域幅フレーム、例えばフレーム３１１及び／又はフレーム３２７をデバイス３０２とデバイス３４０との間で通信するために実際に用いられる時間よりも長い時間期間をカバーし得る。
【０１４６】
いくつかの例示的な実施形態では、デバイス３０２は、例えば後述されるように、例えば、１つ又は複数のトランケーション（truncation）フレームを送信することによって、予約フレームの継続時間によって保護される時間期間を短縮する（truncate）ことができる。
【０１４７】
図３に示されているように、デバイス３０２は、例えば、デバイス３０２とデバイス３４０との間の通信完了及び／又はＴｘＯＰの短縮を指示するために、ｍｍ波チャネル３１０及び３２０を通じてＣＦ−Ｅｎｄフレーム３２４をデバイス３４０に向けて送信することができる。
【０１４８】
図１を再度参照すると、いくつかの例示的な実施形態では、複数の予約フレームは、広帯域幅データフレーム１１１の通信のために複数のｍｍ波チャネルを予約するための専用の要求フレームを含み得る。
【０１４９】
いくつかの例示的な実施形態では、複数の応答フレームは、専用の要求フレームの受信確認をするための専用の応答フレームを含み得る。
【０１５０】
いくつかの例示的な実施形態では、専用の応答フレームは、制御フレームを含み得る。
【０１５１】
ある例では、デバイス１０２及び１４０は、所定のタイプを有するフレーム制御フィールド、例えば「０１」と、制御フレームが拡張フレームであることを指示する所定のサブタイプ、例えば「０１１０」と、制御フレーム拡張値、例えば「１０１１」とを含む制御フレームを通信することができる。
【０１５２】
いくつかの例示的な実施形態では、制御フレームは、構造２１０（図２Ａ）と、例えば８ビットを含んでいる追加的な８ビットのフィールドとを含み得る。
【０１５３】
ある例では、この８ビットのフィールドは、例えば８つのチャネルまでのチャネルの組み合わせを指示するように構成され得る。
【０１５４】
別の例では、この８ビットのフィールドの下位の４ビットは、広帯域幅データフレーム１１１を送信するのにどのチャネルが用いられているか、例えばチャネルごとのビットを指示することができる。上位の４ビットは、予約され得る。
【０１５５】
他の実施形態では、この８ビットのフィールドは、８つの半チャネルのうちのどのチャネルが用いられているかを指示するのに用いられ得る。
【０１５６】
いくつかの例示的な実施形態では、デバイス１０２及び１４０は、例えば制御フレームに応答して、専用の応答フレームを通信することができる。
【０１５７】
いくつかの例示的な実施形態では、専用の応答フレームは、制御フレームの同じ構造を有することができる。
【０１５８】
いくつかの例示的な実施形態では、専用の応答フレームと制御フレームとは、同じｍｍ波チャネルを通じて通信され得る。
【０１５９】
いくつかの例示的な実施形態では、制御フレームは、継続時間フィールドを含み得る。継続時間フィールドは、広帯域幅データフレーム１１１の伝送の継続時間と、ショートインターフレームスペース（ＳＩＦＳ）と、専用の応答フレームを送信する時間期間と、ＴｘＯＰの残りの時間との全体時間を含み得る。
【０１６０】
いくつかの例示的な実施形態では、専用の応答フレームは、継続時間フィールドを含み得る。継続時間フィールドは、例えば、制御フレームにおける継続時間フィールドの全体時間から広帯域幅データフレーム１１１の伝送の継続時間とＳＩＦＳとを減算したものを含む全体の応答時間を含み得る。
【０１６１】
いくつかの例示的な実施形態では、複数の予約フレームは、認可フレーム（Grant  frame）を含み得る。
【０１６２】
いくつかの例示的な実施形態では、複数の応答フレームは、認可受信確認（ＡＣＫ）フレーム（Grant  Acknowledge  (ACK)  frames）を含み得る。
【０１６３】
いくつかの例示的な実施形態では、認可フレームは、ＴｘＯＰの継続時間を指示する継続時間値を含み得る。
【０１６４】
いくつかの例示的な実施形態では、認可フレームは、４つの予約されたビットを含むＢＦ制御フィールドを含み得る。これら４つの予約されたビットは、どのｍｍ波チャネルを通じて広帯域幅データフレーム１１１が伝送されることになるか、例えばｍｍ波チャネルごとのビットを指示するのに用いられ得る。
【０１６５】
いくつかの例示的な実施形態では、例えば広帯域幅ｍｍ波チャネルを通じて広帯域幅データフレーム１１１を送信する前に、複数のｍｍ波チャネルを通じて予約フレームを送信することにより、デバイス１０２、１４０及び１５０の間での共存を可能にすることができるか、並びに／又は、デバイス１０２、１４０及び１５０の間での干渉を削減することができる。
【０１６６】
いくつかの例示的な実施形態に従って広帯域幅データフレームを通信する方法を概略的に図解する図４を参照する。例えば、図４の方法の動作のうちの１つ又は複数は、ワイヤレス通信システム、例えばシステム１００（図１）、ワイヤレス通信デバイス、例えばデバイス１０２及び／若しくは１４０（図１）、無線装置、例えば無線装置１１４及び／若しくは１４４（図１）、メッセージプロセッサ、例えばメッセージプロセッサ１２８及び／若しくは１５８（図１）、受信機、例えば受信機１１６及び／若しくは１４６（図１）、送信機、例えば送信機１１８及び／若しくは１４８（図１）、並びに／又は、コントローラ、例えばコントローラ１２４及び／若しくは１５４（図１）によって実行され得る。
【０１６７】
ブロック４０２に示されているように、この方法は、広帯域幅ｍｍ波チャネルを通じて伝送されることになる広帯域幅データフレームを生成するステップであって、広帯域幅ｍｍ波チャネルが複数のｍｍ波チャネルを含む、ステップを含むことができる。例えば、メッセージプロセッサ１２８（図１）は、例えば前述されるように、広帯域幅ｍｍ波チャネルを通じて伝送されることになる広帯域幅データフレーム１１１（図１）を生成することができ、この広帯域幅ｍｍ波チャネルは、複数のｍｍ波チャネルを含む。
【０１６８】
ブロック４０４に示されているように、この方法は、複数のｍｍ波チャネルを通じて複数の予約フレームを送信するステップを含むことができる。例えば、送信機１１８（図１）は、例えば前述されるように、第２及び第３のｍｍ波チャネルを通じて予約フレーム１１３及び１１５（図１）を送信することができる。
【０１６９】
ブロック４０６に示されているように、この方法は、複数のｍｍ波チャネルを通じて複数の応答フレームを受信するステップを含むことができる。例えば、受信機１１６（図１）は、例えば前述されるように、第２及び第３のｍｍ波チャネルを通じて応答フレーム１１７及び１１９（図１）を受信することができる。
【０１７０】
ブロック４０８に示されているように、この方法は、広帯域幅ｍｍ波チャネルを通じて広帯域幅データフレームを送信するステップを含むことができる。例えば、送信機１１８（図１）は、例えば前述されるように、広帯域幅ｍｍ波チャネルを通じて広帯域幅データフレーム１１１（図１）を送信することができる。
【０１７１】
ブロック４１０に示されているように、この方法は、広帯域幅データフレームの伝送完了を指示するために、複数のｍｍ波チャネルを通じて複数のＣＦ−Ｅｎｄフレームを送信するステップを含むことができる。例えば、送信機１１８（図１）は、例えば前述されるように、広帯域幅データフレーム１１１（図１）の伝送完了を指示するために、複数のｍｍ波チャネルを通じて複数のＣＦ−Ｅｎｄフレームを送信することができる。
【０１７２】
図１を再度参照すると、例えば後述されるように、いくつかの例示的な実施形態により、例えば、ある部分（「レガシー部分」）を広帯域幅データフレームに追加することによって、レガシーデバイスと次世代デバイスとの間の共存を可能にすることができる。
【０１７３】
いくつかの例示的な実施形態では、レガシー部分は、例えば後述されるように、レガシーデバイス、例えばデバイス１５０によって復号されることができ、例えば、複数のｍｍ波チャネルのすべてのチャネルにおいて複製されることができる。
【０１７４】
いくつかの例示的な実施形態では、メッセージプロセッサ１２８は、広帯域幅ｍｍ波チャネルを通じて伝送されることになる広帯域幅データフレーム１２１を生成することができる。
【０１７５】
いくつかの例示的な実施形態では、広帯域幅データフレーム１２１は、第１のヘッダと第２のヘッダとデータ部分とを含み得る。
【０１７６】
いくつかの例示的な実施形態では、第１のヘッダは、レガシー部分の機能を果たすことができる。
【０１７７】
いくつかの例示的な実施形態では、送信機１１８は、複数のｍｍ波チャネルのそれぞれを通じて第１及び第２のヘッダを送信することができる。
【０１７８】
いくつかの例示的な実施形態では、送信機１１８は、複数のｍｍ波チャネルのそれぞれを通じて同じ第１のヘッダと同じ第２のヘッダとを送信することができる。
【０１７９】
ある例では、ＷＭ１０３は、第１のｍｍ波チャネルと、第２のｍｍ波チャネルと、第３のｍｍ波チャネルと、第４のｍｍ波チャネルとを含み得るとともに、広帯域幅ｍｍ波チャネルは、第２及び第３のｍｍ波チャネルを含み得る。この例によると、送信機１１８は、第２のチャネルと第３のチャネルとを通じて同じ第１のヘッダを送信することができ、第２のチャネルと第３のチャネルとを通じて同じ第２のヘッダを送信することができる。
【０１８０】
いくつかの例示的な実施形態では、第１のヘッダは、第２のヘッダの指示値を含み得る。
【０１８１】
ある例では、第１のヘッダは、レガシーデバイス、例えばデバイス１５０と非レガシーデバイスとによって復号可能であり得るとともに、第２のヘッダは、非レガシーデバイス、例えばデバイス１０２及び／又は１４０によって復号可能であり得る。
【０１８２】
いくつかの例示的な実施形態では、第２のヘッダは、広帯域幅ｍｍ波チャネルについての指示値を含み得る。
【０１８３】
いくつかの例示的な実施形態では、この指示値は、広帯域幅データフレーム１２１を通信するのにどのｍｍ波チャネルが用いられているかを指示することができる。例えば、この指示値は、第２及び第３のｍｍ波チャネルを指示することができる。
【０１８４】
いくつかの例示的な実施形態では、送信機１１８は、広帯域幅ｍｍ波チャネルを通じてデータ部分を送信することができる。
【０１８５】
いくつかの例示的な実施形態では、受信機１４６は、複数のｍｍ波チャネルのそれぞれを通じて第１及び第２のヘッダを受信することができる。例えば、受信機１４６は、第２のチャネルと第３のチャネルとを通じて同じ第１のヘッダを受信することができ、第２のチャネルと第３のチャネルとを通じて同じ第２のヘッダを受信することができる。
【０１８６】
いくつかの例示的な実施形態では、受信機１４６は、広帯域幅ｍｍ波チャネルを通じてデータ部分を受信することができる。
【０１８７】
いくつかの例示的な実施形態では、メッセージプロセッサ１５８は、広帯域幅データフレーム１２１を処理することができる。
【０１８８】
いくつかの例示的な実施形態では、デバイス１５０は、第１のヘッダを受信することができるとともに、広帯域幅データフレーム１２１の伝送を認識することができる。
【０１８９】
いくつかの例示的な実施形態では、広帯域幅データフレーム１２１は、広帯域幅ｍｍ波チャネルを推定するために、広帯域幅チャネル推定フィールドを含むことができる。
【０１９０】
ある例では、コントローラ１５４は、広帯域幅チャネル推定フィールドに基づいて、広帯域幅ｍｍ波チャネルを推定することができる。
【０１９１】
いくつかの例示的な実施形態では、送信機１１８は、例えば図５を参照して後述されるように、広帯域幅ｍｍ波チャネルを通じて広帯域幅チャネル推定フィールドを送信することができる。
【０１９２】
いくつかの例示的な実施形態では、送信機１１８は、例えば図７を参照して後述されるように、複数のｍｍ波チャネルのうちの第１のチャネルと第２のチャネルとの間に広帯域幅チャネル推定フィールドを送信することができる。
【０１９３】
ある例では、送信機１１８は、第２のｍｍ波チャネルと第３のｍｍ波チャネルとの間に広帯域幅チャネル推定フィールドを送信することができる。
【０１９４】
いくつかの例示的な実施形態では、第１のヘッダと第２のヘッダとを用いることにより、レガシーデバイスと次世代デバイスとの間の共存が可能になり得る。
【０１９５】
いくつかの例示的な実施形態による広帯域幅データフレーム５２１の伝送を概略的に図解している図５を参照する。例えば、広帯域幅データフレーム５２１は、広帯域幅データフレーム１２１（図１）の機能を果たすことができる。
【０１９６】
いくつかの例示的な実施形態では、デバイス１０２（図１）は、広帯域幅データフレーム５２１をデバイス１４０（図１）に向けて送信することができる。
【０１９７】
図５に示されているように、広帯域幅データフレーム５２１は、広帯域幅チャネル５２２を通じて伝送されることができ、広帯域幅チャネル５２２は、複数のｍｍ波チャネル、例えば第１のｍｍ波チャネル５２４及び第２のｍｍ波チャネル５２６を含むことができる。
【０１９８】
図５に示されているように、広帯域幅データフレーム５２１は、広帯域幅チャネル５２２を通じて伝送されることになるデータ部分５２８を含むことができる。
【０１９９】
図５に示されているように、広帯域幅データフレーム５２１は、レガシーデバイスによって復号されることになる第１のヘッダ５３０（「レガシーヘッダ」）と、次世代デバイスによって復号されることになる第２のヘッダ５３２（「新たなヘッダ」）とを含むことができる。
【０２００】
図５に示されているように、同じ第１のヘッダ５３０が、第１のｍｍ波チャネル５２４と第２のｍｍ波チャネル５２６とを通じて伝送されることができる。
【０２０１】
図５に示されているように、同じ第２のヘッダ５３２が、第１のｍｍ波チャネル５２４と第２のｍｍ波チャネル５２６とを通じて伝送されることができる。
【０２０２】
図５に示されているように、広帯域幅データフレーム５２１は、複数のｍｍ波チャネルを通じて伝送されることになるチャネル推定（Channel  Estimation：ＣＥ）フィールド５３４とショートトレーニングフィールド（Short  Training  Field：ＳＴＦ）５３５とを含むことができる。
【０２０３】
ある例では、デバイス１０２（図１）は、例えばデバイス１４０（図１）がｍｍ波チャネル５２６を推定できるようにするために、第２のｍｍ波チャネル５２６を通じてＣＥフィールド５３４をデバイス１４０（図１）に向けて送信することができる。
【０２０４】
図５に示されているように、広帯域幅データフレーム５２１は、自動利得制御（ＡＧＣ）フィールド５３６とトレーニング（training：ＴＲＮ）フィールド５３７とを含むことができる。
【０２０５】
図５に示されているように、ＡＧＣフィールド５３６とＴＲＮフィールド５３７とは、広帯域幅チャネル５２２を通じて伝送されることができる。
【０２０６】
他の実施形態では、ＡＧＣフィールド５３６とＴＲＮフィールド５３７とは、複数のｍｍ波チャネルを通じて伝送され得る。例えば、同じＡＧＣフィールド５３６が、第１のｍｍ波チャネル５２４と第２のｍｍ波チャネル５２６とを通じて伝送されることができ、同じＴＲＮフィールド５３７が、第１のｍｍ波チャネル５２４と第２のｍｍ波チャネル５２６とを通じて伝送されることができる。
【０２０７】
図５に示されているように、広帯域幅データフレーム５２１は、広帯域幅チャネル５２２を推定するために、広帯域幅チャネル推定フィールド５３８を含むことができる。
【０２０８】
図５に示されているように、広帯域幅チャネル推定フィールド５３８は、例えば広帯域幅チャネル５２２を推定するために、広帯域幅チャネル５２２を通じて伝送されることができる。
【０２０９】
ある例では、デバイス１０２（図１）は、例えばデバイス１４０（図１）が広帯域幅チャネル５２２を推定できるようにするために、広帯域幅チャネル５２２を通じて広帯域幅チャネル推定フィールド５３８をデバイス１４０（図１）に向けて送信することができる。
【０２１０】
いくつかの例示的な実施形態では、広帯域幅チャネル推定フィールド５３８は、例えば図６Ａ及び６Ｂを参照して後述されるように、複数のゴレイシーケンス（Golay  sequence）を含むことができる。
【０２１１】
いくつかの例示的な実施形態に従い、シングルキャリア伝送のための広帯域幅チャネル推定フィールド６２０の構造を概略的に図解する図６Ａと、ＯＦＤＭ伝送のための広帯域幅チャネル推定フィールド６３０の構造を概略的に図解する図６Ｂとを参照する。
【０２１２】
ある例では、デバイス１０２（図１）は、例えばデバイス１０２及び１４０（図１）がシングルキャリア方式に従って通信する場合には、広帯域幅チャネル推定フィールド６２０をデバイス１４０（図１）に向けて送信することができる。
【０２１３】
別の例では、デバイス１０２（図１）は、例えばデバイス１０２及び１４０（図１）がＯＦＤＭ方式に従って通信する場合には、広帯域幅チャネル推定フィールド６３０をデバイス１４０（図１）に向けて送信することができる。
【０２１４】
図６Ａ及び／又は６Ｂに示されているように、広帯域幅チャネル推定フィールド６２０及び／又は６３０は、複数のゴレイシーケンスを含み得る。
【０２１５】
ある例では、複数のゴレイシーケンスが、広帯域幅チャネル５２２（図５）を推定するのに用いられ得る。
【０２１６】
いくつかの例示的な実施形態では、複数のゴレイシーケンスは、デバイス１４０（図１）が広帯域幅チャネル５２２（図５）を推定できるようにするために、ＣＥフィールド５３４（図５）内の複数のゴレイシーケンスより長くてもよい。
【０２１７】
ある例では、広帯域幅チャネル推定フィールド６２０及び／又は６３０は、長いゴレイシーケンス、例えばゴレイシーケンスＧａ２５６及びＧｂ２５６を含むことができ、ＣＥフィールド５３４（図５）は、短いゴレイシーケンス、例えばゴレイシーケンスＧａ１２８及びＧｂ１２８を含むことができる。
【０２１８】
別の例では、広帯域幅チャネル推定フィールド６２０及び／又は６３０は、長いゴレイシーケンス、例えばゴレイシーケンスＧＵ１０２４及びＧＶ１０２４を含むことができ、ＣＥフィールド５３４（図５）は、短いゴレイシーケンス、例えばゴレイシーケンスＧＵ５１２及びＧＶ５１２を含むことができる。
【０２１９】
いくつかの例示的な実施形態による広帯域幅データフレーム７２１の伝送を概略的に図解する図７を参照する。例えば、広帯域幅データフレーム７２１は、広帯域幅データフレーム１２１（図１）の機能を果たすことができる。
【０２２０】
いくつかの例示的な実施形態では、デバイス１０２（図１）は、広帯域幅データフレーム７２１をデバイス１４０（図１）に向けて送信することができる。
【０２２１】
図７に示されているように、広帯域幅データフレーム７２１は、広帯域幅チャネル７２２を通じて伝送されることができ、広帯域幅チャネル７２２は、複数のｍｍ波チャネル、例えば第１のｍｍ波チャネル７２４と第２のｍｍ波チャネル７２６を含むことができる。
【０２２２】
図７に示されているように、広帯域幅データフレーム７２１は、広帯域幅チャネル７２２を通じて伝送されることになるデータ部分７２８を含むことができる。
【０２２３】
図７に示されているように、広帯域幅データフレーム７２１は、レガシーデバイスによって復号されることになる第１のヘッダ７３０（「レガシーヘッダ」）と、次世代デバイスによって復号されることになる第２のヘッダ７３２（「新たなヘッダ」）とを含むことができる。
【０２２４】
図７に示されているように、同じ第１のヘッダ７３０が、第１のｍｍ波チャネル７２４と第２のｍｍ波チャネル７２６とを通じて伝送されることができる。
【０２２５】
図７に示されているように、同じ第２のヘッダ７３２が、第１のｍｍ波チャネル７２４と第２のｍｍ波チャネル７２６とを通じて伝送されることができる。
【０２２６】
図７に示されているように、広帯域幅データフレーム７２１が、複数のｍｍ波チャネルを通じて伝送されることになるチャネル推定（ＣＥ）フィールド７３４とショートトレーニングフィールド（ＳＴＦ）７３５とを含むことができる。
【０２２７】
ある例では、デバイス１０２（図１）は、例えばデバイス１４０（図１）がｍｍ波チャネル７２６を推定できるようにするために、第２のｍｍ波チャネル７２６を通じてＣＥフィールド７３４をデバイス１４０（図１）に向けて送信することができる。
【０２２８】
図７に示されているように、広帯域幅データフレーム７２１は、自動利得制御（ＡＧＣ）フィールド７３６とトレーニング（ＴＲＮ）フィールド７３７とを含み得る。
【０２２９】
図７に示されているように、ＡＧＣフィールド７３６とＴＲＮフィールド７３７とは、広帯域幅チャネル７２２を通じて伝送されることができる。
【０２３０】
他の実施形態では、ＡＧＣフィールド７３６とＴＲＮフィールド７３７とは、複数のｍｍ波チャネルを通じて伝送され得る。例えば、同じＡＧＣフィールド７３６が、第１のｍｍ波チャネル７２４と第２のｍｍ波チャネル７２６とを通じて伝送されることができ、同じＴＲＮフィールド７３７が、第１のｍｍ波チャネル７２４と第２のｍｍ波チャネル７２６とを通じて伝送されることができる。
【０２３１】
図７に示されているように、広帯域幅データフレーム７２１が、広帯域幅チャネル７２２を推定するために、広帯域幅チャネル推定フィールド７３８を含むことができる。
【０２３２】
図７に示されているように、広帯域幅チャネル推定フィールド７３８が、第１のｍｍ波チャネル７２４と第２のｍｍ波チャネル７２６との間の狭い帯域幅７３９を通じて伝送されることができる。
【０２３３】
ある例では、デバイス１０２（図１）は、例えば複数のｍｍ波チャネルのエネルギーを組み合わせる場合に要求される量のエネルギーを有していない周波数におけるチャネル推定を可能にするために、例えば、広帯域幅チャネル推定フィールド７３８を送信することができる。
【０２３４】
ある例では、デバイス１０２（図１）は、例えば第１のｍｍ波チャネル７２４及び第２のｍｍ波チャネル７２６が広帯域幅チャネル７２２を推定するのに要求される十分なエネルギーを有していないときに、例えばデバイス１４０（図１）が広帯域幅チャネル７２２を推定できるようにするために、狭い帯域幅７３９を通じて広帯域幅チャネル推定フィールド７３８をデバイス１４０（図１）に向けて送信することができる。
【０２３５】
いくつかの例示的な実施形態では、広帯域幅チャネル推定フィールド７３８は、例えば、図８を参照して後述されるように、広帯域幅ｍｍ波チャネルのチャネル推定を向上させるために、複数のトーンを含むことができる。
【０２３６】
いくつかの例示的な実施形態による広帯域幅チャネル推定フィールド８２０の構造を概略的に図解する図８を参照する。
【０２３７】
ある例では、デバイス１０２（図１）は、例えば広帯域幅チャネル７２２（図７）を推定するために、狭い帯域幅７３９（図７）を通じて広帯域幅チャネル推定フィールド８２０をデバイス１４０（図１）に向けて送信することができる。
【０２３８】
図８に示されているように、広帯域幅チャネル推定フィールド８２０は、複数のトーン８２２を含み得る。
【０２３９】
図８に示されているように、複数のトーン８２２は、第１の下位側のチャネル中心８２４と第２の上位側のチャネル中心８２６との間に配置され得る。
【０２４０】
ある例では、第１のｍｍ波チャネル７２４（図７）は、下位側のチャネル中心に中心を有することができるか、及び／又は、第２のｍｍ波チャネル７２６（図７）は、上位側のチャネル中心８２６に中心を有することができる。
【０２４１】
いくつかの例示的な実施形態では、複数のトーン８２２は、異なるパターンを有する１組の約２０のトーンを含むことができ、これは、例えばより高い帯域幅を用いる場合などには、１０２４個のサンプルごとに変更され得る。
【０２４２】
ある例では、複数のトーン８２２は、第１のｍｍ波チャネル７２４（図７）と第２のｍｍ波チャネル７２６（図７）との間の周波数領域、例えば３００ＭＨｚの領域を推定するのに使用されることになるデータを提供するように構成され得る。
【０２４３】
ある例では、ビット値、例えば−１及び１が、複数のトーン８２２のうちの１つのトーンに対して予め定義されることができる。２つの隣接するトーンの間の差は、例えば２６４０／５１２である５．１５６２５メガヘルツ（ＭＨｚ）であり得る。
【０２４４】
いくつかの例示的な実施形態による広帯域幅データフレームを通信する方法を概略的に図解する図９を参照する。例えば、図９の方法の動作のうちの１つ又は複数は、ワイヤレス通信システム、例えばシステム１００（図１）、ワイヤレス通信デバイス、例えばデバイス１０２及び／若しくは１４０（図１）、無線装置、例えば無線装置１１４及び／若しくは１４４（図１）、メッセージプロセッサ、例えばメッセージプロセッサ１２８及び／若しくは１５８（図１）、受信機、例えば受信機１１６及び／若しくは１４６（図１）、送信機、例えば送信機１１８及び／若しくは１４８（図１）、並びに／又は、コントローラ、例えばコントローラ１２４及び／若しくは１５４（図１）によって実行され得る。
【０２４５】
ブロック９０２に示されているように、この方法は、広帯域幅ｍｍ波チャネルを通じて伝送されることになる広帯域幅データフレームを生成するステップであって、広帯域幅ｍｍ波チャネルが複数のｍｍ波チャネルを含む、ステップを含むことができる。例えば、メッセージプロセッサ１２８（図１）は、例えば前述されるように、広帯域幅ｍｍ波チャネルを通じて伝送されることになる広帯域幅データフレーム１２１（図１）を生成することができ、広帯域幅ｍｍ波チャネルは、複数のｍｍ波チャネルを含む。
【０２４６】
ブロック９０４に示されているように、広帯域幅データフレームを生成するステップは、第１のヘッダと第２のヘッダとデータ部分とを含む広帯域幅データフレームを生成するステップを含むことができる。例えば、メッセージプロセッサ１２８（図１）は、例えば前述されるように、第１のヘッダと第２のヘッダとデータ部分とを含む広帯域幅データフレーム１２１（図１）を生成することができる。
【０２４７】
ブロック９０６に示されているように、広帯域幅データフレームを生成するステップは、第２のヘッダの指示値を含む第１のヘッダと広帯域幅ｍｍ波チャネルについての指示値を含む第２のヘッダとを生成するステップを含むことができる。例えば、メッセージプロセッサ１２８（図１）は、例えば前述されるように、第２のヘッダの指示値を含む第１のヘッダを生成することができるとともに、メッセージプロセッサ１２８（図１）は、広帯域幅ｍｍ波チャネルについての指示値を含む第２のヘッダを生成することができる。
【０２４８】
ブロック９０８に示されているように、この方法は、複数のｍｍ波チャネルのそれぞれを通じて第１及び第２のヘッダを送信するステップを含むことができる。例えば、送信機１１８（図１）は、例えば前述されるように、第２及び第３のｍｍ波チャネルを通じて第１及び第２のヘッダを送信することができる。
【０２４９】
ブロック９１０に示されているように、この方法は、広帯域幅ｍｍ波チャネルを通じて広帯域幅チャネル推定フィールドを送信するステップを含むことができる。例えば、送信機１１８（図１）は、例えば前述されるように、広帯域幅ｍｍ波チャネルを通じて広帯域幅チャネル推定フィールドを送信することができる。
【０２５０】
ブロック９１２に示されるように、この方法は、複数のｍｍ波チャネルのうちの第１のチャネルと第２のチャネルとの間の狭い帯域幅を通じて広帯域幅チャネル推定フィールドを送信するステップを含むことができる。例えば、送信機１１８（図１）は、例えば前述されるように、第２のｍｍ波チャネルと第３のｍｍ波チャネルとの間の狭い帯域幅を通じて広帯域幅チャネル推定フィールドを送信することができる。
【０２５１】
ブロック９１４に示されているように、この方法は、広帯域幅ｍｍ波チャネルを通じてデータ部分を送信するステップを含むことができる。例えば、送信機１１８（図１）は、例えば前述されるように、広帯域幅ｍｍ波チャネルを通じてデータ部分を送信することができる。
【０２５２】
いくつかの例証的な実施形態による製造品５００を概略的に図解している図１０を参照する。製品１０００は、ロジック５０４を記憶するための非一時的なマシン可読記憶媒体１００２を含むことができ、ロジック５０４は、例えば、デバイス１０２（図１）、無線装置１１４（図１）、コントローラ１２４（図１）、デバイス１４０（図１）、無線装置１４４（図１）、コントローラ１５４（図１）、メッセージプロセッサ１２８及び／若しくは１５８（図１）の機能の少なくとも一部を実行するか、並びに／又は、図４及び／若しくは図９の方法の１つ又は複数の動作を実行するのに用いられることができる。「非一時的なマシン可読記憶媒体」という用語は、一時的な伝播信号を唯一の例外として、すべてのコンピュータ読み取り可能な媒体を含むことが意図されている。
【０２５３】
いくつかの例示的な実施形態では、製品１０００及び／又はマシン可読記憶媒体１００２は、揮発性メモリ、不揮発性メモリ、取外可能又は取外不可能なメモリ、消去可能又は消去不可能なメモリ、書き込み可能又は書き換え可能なメモリ、及び同様のものを含む、データを記憶することが可能な１つ又は複数のタイプのコンピュータ読み取り可能な記憶媒体を含み得る。例えば、マシン可読記憶媒体１００２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えば、ＮＯＲフラッシュメモリ又はＮＡＮＤフラッシュメモリ）、コンテンツアドレサブルメモリ（ＣＡＭ）、ポリマメモリ、位相変化メモリ、強誘導体メモリ、シリコンオキサイドナイトライドオキサイドシリコン（ＳＯＮＯＳ）メモリ、ディスク、フロッピー（登録商標）ディスク、ハードドライブ、光ディスク、磁気ディスク、カード、磁気カード、光カード、テープ、カセット、及び同様のものを含み得る。コンピュータ読み取り可能な記憶媒体は、搬送波、又は通信リンク経由した他の伝搬媒体、例えば、モデム、無線装置若しくはネットワーク接続において具現化されたデータ信号によって搬送されるコンピュータプログラムを、リモートコンピュータから要求側のコンピュータに対してダウンロード又は転送することに関与するいずれかの適切な媒体を含み得る。
【０２５４】
いくつかの例示的な実施形態において、ロジック１００４は、命令、データ、及び／又はコードを含むことができ、これらは、マシンによって実行されると、そのマシンに、本明細書に記載された方法、プロセス及び／又は動作を実行させ得る。マシンは、例えば、いずれかの適切な処理プラットフォーム、コンピューティングプラットフォーム、コンピューティングデバイス、処理デバイス、コンピューティングシステム、処理システム、コンピュータ、プロセッサ、又は同様のものを含むことができ、ハードウェア、ソフトウェア、ファームウェア、及び同様のもののいずれかの適切な組み合わせを用いて実施されることができる。
【０２５５】
いくつかの例証的な実施形態において、ロジック１００４は、ソフトウェア、ソフトウェアモジュール、アプリケーション、プログラム、サブルーチン、命令、命令セット、コンピューティングコード、ワード、値、シンボル、及び同様のものを含み得るか、又は、そのようなものとして実装され得る。命令は、いずれかの適切なタイプのコード、例えば、ソースコード、コンパイル済みコード、解釈済みコード、実行可能コード、静的コード、動的コード、及び同様のものなどを含み得る。命令は、予め定義されたコンピュータ言語、手法又は構文に従って、プロセッサに一定の機能を実行させることを命じるように、実装され得る。命令は、いずれかの適切な高水準、低水準、オブジェクト指向、ビジュアル、コンパイル済み、及び／又は、解釈済みのプログラミング言語、例えば、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシンコード、及び同様のものなどを用いて、実装され得る。
【０２５６】
実例
下記の実例は、さらなる実施形態に関する。
【０２５７】
実例１は、広帯域幅ミリメートル波（ｍｍ波）チャネルを通じて伝送されることになる広帯域幅データフレームを生成するコントローラであって、広帯域幅ｍｍ波チャネルが複数のｍｍ波チャネルを含む、コントローラと、複数のｍｍ波チャネルを通じて複数の予約フレームを送信し、複数の予約フレームのうちの予約フレームが、広帯域幅データフレームの継続時間に対応する継続時間値と、広帯域幅データフレームが広帯域幅ｍｍ波チャネルを通じて伝送されることになることを指示する広帯域幅指示値とを含む、送信機であって、広帯域幅ｍｍ波チャネルを通じて広帯域幅データフレームを送信する送信機とを備える装置を含む。
【０２５８】
実例２は、実例１の主題を含み、任意に、継続時間値は、少なくとも、広帯域幅データフレームの伝送と、ショートインターフレームスペース（ＳＩＦＳ）と、広帯域幅データフレームへの応答フレームの伝送との継続時間をカバーすることになる。
【０２５９】
実例３は、実例１又は２の主題を含み、任意に、継続時間値は、その間に広帯域幅データフレームが伝送されることになる伝送機会（ＴｘＯＰ）の継続時間を指示することになる。
【０２６０】
実例４は、実例１から３のいずれか１つの主題を含み、任意に、広帯域幅データフレームの伝送の前に複数のｍｍ波チャネルを通じて複数の応答フレームを受信する受信機を備える。
【０２６１】
実例５は、実例４の主題を含み、任意に、複数の予約フレームは、送信要求（ＲＴＳ）フレームを含み、複数の応答フレームは、送信可（ＣＴＳ）フレームを含む。
【０２６２】
実例６は、実例４の主題を含み、任意に、複数の予約フレームは、広帯域幅データフレームの伝送のために複数のｍｍ波チャネルを予約するための専用フレームを含み、複数の応答フレームは、予約フレームの受信確認をするための専用応答フレームを含む。
【０２６３】
実例７は、実例４の主題を含み、任意に、複数の予約フレームは、認可フレームを含み、複数の応答フレームは、認可受信確認（ＡＣＫ）フレームを含む。
【０２６４】
実例８は、実例１から７のいずれか１つの主題を含み、任意に、広帯域幅指示値は、予約フレームの物理層（ＰＨＹ）ヘッダの１つ又は複数のビットによって表される。
【０２６５】
実例９は、実例１から８のいずれか１つの主題を含み、任意に、送信機は、広帯域幅データフレームの伝送完了を指示するために、複数のｍｍ波チャネルを通じて複数の無競合終了（ＣＦ−Ｅｎｄ）フレームを送信することになる。
【０２６６】
実例１０は、実例１から９のいずれか１つの主題を含み、任意に、送信機は、制御ｍｍ波チャネルを通じて予約フレームのうちの少なくとも１つを送信することになる。
【０２６７】
実例１１は、実例１から１０のいずれか１つの主題を含み、任意に、広帯域幅データフレームは、広帯域幅ｍｍ波チャネルを通じて復号可能であり、予約フレームは、複数のｍｍ波チャネルのうちのそれぞれのチャネルを通じて復号可能である。
【０２６８】
実例１２は、実例１から１１のいずれか１つの主題を含み、任意に、１つ又は複数のアンテナと、メモリと、プロセッサとを備える。
【０２６９】
実例１３は、広帯域幅ミリメートル波（ｍｍ波）チャネルを通じて伝送されることになる広帯域幅データフレームを生成するコントローラであって、広帯域幅ｍｍ波チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、コントローラと、複数のｍｍ波チャネルのそれぞれを通じて第１及び第２のヘッダを送信するとともに、広帯域幅ｍｍ波チャネルを通じてデータ部分を送信する送信機とを備える装置を含む。
【０２７０】
実例１４は、実例１３の主題を含み、任意に、送信機は、複数のｍｍ波チャネルのそれぞれを通じて同じ第１のヘッダと同じ第２のヘッダとを送信することになる。
【０２７１】
実例１５は、実例１３又は１４の主題を含み、任意に、広帯域幅データフレームは、広帯域幅ｍｍ波チャネルを推定するための広帯域幅チャネル推定フィールドを含む。
【０２７２】
実例１６は、実例１５の主題を含み、任意に、送信機は、広帯域幅ｍｍ波チャネルを通じて広帯域幅チャネル推定フィールドを送信することになる。
【０２７３】
実例１７は、実例１５の主題を含み、任意に、送信機は、複数のｍｍ波チャネルのうちの第１のチャネルと第２のチャネルとの間の狭帯域幅を通じて広帯域幅チャネル推定フィールドを送信することになる。
【０２７４】
実例１８は、実例１３から１７のいずれか１つの主題を含み、任意に、１つ又は複数のアンテナと、メモリと、プロセッサとを備える。
【０２７５】
実例１９は、少なくとも１つのミリメートル波（ｍｍ波）チャネルを通じて少なくとも１つの予約フレームを受信する受信機であって、予約フレームが、広帯域幅データフレームの継続時間に対応する継続時間値と、複数のｍｍ波チャネルを含む広帯域幅ｍｍ波チャネルを通じて広帯域幅データフレームが伝送されることになることを指示する広帯域幅指示値とを含み、複数のｍｍ波チャネルが、少なくとも１つのｍｍ波チャネルを含む、受信機と、ｍｍ波チャネルを通じて少なくとも１つの応答フレームを送信する送信機と、応答フレームを生成するとともに、広帯域幅ｍｍ波チャネルを通じて受信されることになる広帯域幅データフレームを処理するメッセージプロセッサとを備える装置を含む。
【０２７６】
実例２０は、実例１９の主題を含み、任意に、受信機は、複数のｍｍ波チャネルを通じて複数の予約フレームを受信することになり、メッセージプロセッサは、複数の応答フレームを生成することになり、送信機は、複数のｍｍ波チャネルを通じて複数の応答フレームを送信することになる。
【０２７７】
実例２１は、実例１９又は２０の主題を含み、任意に、継続時間値は、少なくとも、広帯域幅データフレームの伝送と、ショートインターフレームスペース（ＳＩＦＳ）と、応答フレームの伝送との継続時間をカバーすることになる。
【０２７８】
図２２は、実例１９から２１のいずれか１つの主題を含み、任意に、継続時間値は、その間に広帯域幅データフレームが伝送されることになる伝送機会（ＴｘＯＰ）の継続時間を指示することになる。
【０２７９】
実例２３は、実例１９から２２のいずれか１つの主題を含み、任意に、送信機は、広帯域幅データフレームの伝送の前に応答フレームを送信することになる。
【０２８０】
実例２４は、実例１９から２３のいずれか１つの主題を含み、任意に、予約フレームは、送信要求（ＲＴＳ）フレームを含み、応答フレームは、送信可（ＣＴＳ）フレームを含む。
【０２８１】
実例２５は、実例１９から２３のいずれか１つの主題を含み、任意に、予約フレームは、広帯域幅データフレームの伝送のためにｍｍ波チャネルを予約するための専用フレームを含み、応答フレームは、予約フレームの受信確認をするための専用応答フレームを含む。
【０２８２】
実例２６は、実例１９から２３のいずれか１つの主題を含み、任意に、予約フレームは、認可フレームを含み、応答フレームは、認可受信確認（ＡＣＫ）フレームを含む。
【０２８３】
実例２７は、実例１９から２６のいずれか１つの例の主題を含み、任意に、広帯域幅指示値は、予約フレームの物理層（ＰＨＹ）ヘッダの１つ又は複数のビットによって表される。
【０２８４】
実例２８は、実例１９から２７のいずれか１つの主題を含み、任意に、受信機は、ｍｍ波チャネルを通じて、広帯域幅データフレームの伝送完了を指示する無競合終了（ＣＦ−Ｅｎｄ）フレームを受信することになる。
【０２８５】
実例２９は、実例１９から２８のいずれか１つの主題を含み、任意に、受信機は、制御ｍｍ波チャネルを通じて予約フレームを受信することになる。
【０２８６】
実例３０は、実例１９から２９のいずれか１つの主題を含み、任意に、広帯域幅データフレームは、広帯域幅ｍｍ波チャネルを通じて復号可能であり、予約フレームは、ｍｍ波チャネルを通じて復号可能である。
【０２８７】
実例３１は、実例１９から３０のいずれか１つの主題を含み、任意に、１つ又は複数のアンテナと、メモリと、プロセッサとを備える。
【０２８８】
実例３２は、広帯域幅ミリメートル波（ｍｍ波）チャネルを通じて広帯域幅データフレームを受信し、広帯域幅ミリメートル波（ｍｍ波）チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、受信機であって、複数のｍｍ波チャネルのそれぞれを通じて第１及び第２のヘッダを受信するとともに、広帯域幅ｍｍ波チャネルを通じてデータ部分を受信する受信機と、広帯域幅データフレームを処理するメッセージプロセッサとを備える装置を含む。
【０２８９】
実例３３は、実例３２の主題を含み、任意に、受信機は、複数のｍｍ波チャネルのそれぞれを通じて同じ第１のヘッダと同じ第２のヘッダとを受信することになる。
【０２９０】
実例３４は、実例３２又は３３の主題を含み、任意に、広帯域幅データフレームは、広帯域幅ｍｍ波チャネルを推定するための広帯域幅チャネル推定フィールドを含む。
【０２９１】
実例３５は、実例３４の主題を含み、任意に、受信機は、広帯域幅ｍｍ波チャネルを通じて広帯域幅チャネル推定フィールドを受信することになる。
【０２９２】
実例３６は、実例３４の主題を含み、任意に、受信機は、複数のｍｍ波チャネルのうちの第１のチャネルと第２のチャネルとの間の狭帯域幅を通じて広帯域幅チャネル推定フィールドを受信することになる。
【０２９３】
実例３７は、実例３２から３６のいずれか１つの主題を含み、任意に、１つ又は複数のアンテナと、メモリと、プロセッサとを備える。
【０２９４】
実例３８は、ワイヤレス通信のシステムを含み、このシステムは、１つ又は複数のアンテナと、メモリと、プロセッサと、広帯域幅ミリメートル波（ｍｍ波）チャネルを通じて伝送されることになる広帯域幅データフレームを生成するコントローラであって、広帯域幅ｍｍ波チャネルが複数のｍｍ波チャネルを含む、コントローラと、複数のｍｍ波チャネルを通じて複数の予約フレームを送信し、複数の予約フレームのうちの予約フレームが、広帯域幅データフレームの継続時間に対応する継続時間値と、広帯域幅データフレームが広帯域幅ｍｍ波チャネルを通じて伝送されることになることを指示する広帯域幅指示値とを含む、送信機であって、広帯域幅ｍｍ波チャネルを通じて広帯域幅データフレームを送信する送信機とを備える。
【０２９５】
実例３９は、実例３８の主題を含み、任意に、継続時間値は、少なくとも、広帯域幅データフレームの伝送と、ショートインターフレームスペース（ＳＩＦＳ）と、広帯域幅データフレームへの応答フレームの伝送との継続時間をカバーすることになる。
【０２９６】
実例４０は、実例３８又は３９の主題を含み、任意に、継続時間値は、その間に広帯域幅データフレームが伝送されることになる伝送機会（ＴｘＯＰ）の継続時間を指示することになる。
【０２９７】
実例４１は、実例３８から４０のいずれか１つの主題を含み、任意に、広帯域幅データフレームの伝送の前に複数のｍｍ波チャネルを通じて複数の応答フレームを受信する受信機を備える。
【０２９８】
実例４２は、実例４１の主題を含み、任意に、複数の予約フレームは、送信要求（ＲＴＳ）フレームを含み、複数の応答フレームは、送信可（ＣＴＳ）フレームを含む。
【０２９９】
実例４３は、実例４１の主題を含み、任意に、複数の予約フレームは、広帯域幅データフレームの伝送のために複数のｍｍ波チャネルを予約するための専用フレームを含み、複数の応答フレームは、予約フレームの受信確認をするための専用応答フレームを含む。
【０３００】
実例４４は、実例４１の主題を含み、任意に、複数の予約フレームは、認可フレームを含み、複数の応答フレームは、認可受信確認（ＡＣＫ）フレームを含む。
【０３０１】
実例４５は、実例３８から４４のいずれか１つの主題を含み、任意に、広帯域幅指示値は、予約フレームの物理層（ＰＨＹ）ヘッダの１つ又は複数のビットによって表される。
【０３０２】
実例４６は、実例３８から４５のいずれか１つの主題を含み、任意に、送信機は、広帯域幅データフレームの伝送完了を指示するために、複数のｍｍ波チャネルを通じて複数の無競合終了（ＣＦ−Ｅｎｄ）フレームを送信することになる。
【０３０３】
実例４７は、実例３８から４６のいずれか１つの主題を含み、任意に、送信機は、制御ｍｍ波チャネルを通じて予約フレームのうちの少なくとも１つを送信することになる。
【０３０４】
実例４８は、実例３８から４７のいずれか１つの主題を含み、任意に、広帯域幅データフレームは、広帯域幅ｍｍ波チャネルを通じて復号可能であり、予約フレームは、複数のｍｍ波チャネルのうちのそれぞれのチャネルを通じて復号可能である。
【０３０５】
実例４９は、ワイヤレス通信のシステムを含み、このシステムは、１つ又は複数のアンテナと、メモリと、プロセッサと、広帯域幅ミリメートル波（ｍｍ波）チャネルを通じて伝送されることになる広帯域幅データフレームを生成するコントローラであって、広帯域幅ｍｍ波チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、コントローラと、複数のｍｍ波チャネルのそれぞれを通じて第１及び第２のヘッダを送信するとともに、広帯域幅ｍｍ波チャネルを通じてデータ部分を送信する送信機とを備える。
【０３０６】
実例５０は、実例４９の主題を含み、任意に、送信機は、複数のｍｍ波チャネルのそれぞれを通じて同じ第１のヘッダと同じ第２のヘッダとを送信することになる。
【０３０７】
実例５１は、実例４９又は５０の主題を含み、任意に、広帯域幅データフレームは、広帯域幅ｍｍ波チャネルを推定するための広帯域幅チャネル推定フィールドを含む。
【０３０８】
実例５２は、実例５１の主題を含み、任意に、送信機は、広帯域幅ｍｍ波チャネルを通じて広帯域幅チャネル推定フィールドを送信することになる。
【０３０９】
実例５３は、実例５１の主題を含み、任意に、送信機は、複数のｍｍ波チャネルのうちの第１のチャネルと第２のチャネルとの間の狭帯域幅を通じて広帯域幅チャネル推定フィールドを送信することになる。
【０３１０】
実例５４は、ワイヤレス通信のシステムを含み、このシステムは、１つ又は複数のアンテナと、メモリと、プロセッサと、少なくとも１つのミリメートル波（ｍｍ波）チャネルを通じて少なくとも１つの予約フレームを受信する受信機であって、予約フレームが、広帯域幅データフレームの継続時間に対応する継続時間値と、複数のｍｍ波チャネルを含む広帯域幅ｍｍ波チャネルを通じて広帯域幅データフレームが伝送されることになることを指示する広帯域幅指示値とを含み、複数のｍｍ波チャネルが、少なくとも１つのｍｍ波チャネルを含む、受信機と、ｍｍ波チャネルを通じて少なくとも１つの応答フレームを送信する送信機と、応答フレームを生成するとともに、広帯域幅ｍｍ波チャネルを通じて受信されることになる広帯域幅データフレームを処理するメッセージプロセッサとを備える。
【０３１１】
実例５５は、実例５４の主題を含み、任意に、受信機は、複数のｍｍ波チャネルを通じて複数の予約フレームを受信することになり、メッセージプロセッサは、複数の応答フレームを生成することになり、送信機は、複数のｍｍ波チャネルを通じて複数の応答フレームを送信することになる。
【０３１２】
実例５６は、実例５４又は５５の主題を含み、任意に、継続時間値は、少なくとも、広帯域幅データフレームの伝送と、ショートインターフレームスペース（ＳＩＦＳ）と、応答フレームの伝送との継続時間をカバーすることになる。
【０３１３】
実例５７は、実例５４から５６のいずれか１つの主題を含み、任意に、継続時間値は、その間に広帯域幅データフレームが伝送されることになる伝送機会（ＴｘＯＰ）の継続時間を指示することになる。
【０３１４】
実例５８は、実例５４から５７のいずれか１つの主題を含み、任意に、送信機は、広帯域幅データフレームの伝送の前に応答フレームを送信することになる。
【０３１５】
実例５９は、実例５４から５８のいずれか１つの主題を含み、任意に、予約フレームは、送信要求（ＲＴＳ）フレームを含み、応答フレームは、送信可（ＣＴＳ）フレームを含む。
【０３１６】
実例６０は、実例５４から５８のいずれか１つの主題を含み、任意に、予約フレームは、広帯域幅データフレームの伝送のためにｍｍ波チャネルを予約するための専用フレームを含み、応答フレームは、予約フレームの受信確認をするための専用応答フレームを含む。
【０３１７】
実例６１は、実例５４から５８のいずれか１つの主題を含み、任意に、予約フレームは、認可フレームを含み、応答フレームは、認可受信確認（ＡＣＫ）フレームを含む。
【０３１８】
実例６２は、実例５４から６１のいずれか１つの主題を含み、任意に、広帯域幅指示値は、予約フレームの物理層（ＰＨＹ）ヘッダの１つ又は複数のビットによって表される。
【０３１９】
実例６３は、実例５４から６２のいずれか１つの主題を含み、任意に、受信機は、ｍｍ波チャネルを通じて、広帯域幅データフレームの伝送完了を指示する無競合終了（ＣＦ−Ｅｎｄ）フレームを受信することになる。
【０３２０】
実例６４は、実例５４から６３のいずれか１つの主題を含み、任意に、受信機は、制御ｍｍ波チャネルを通じて予約フレームを受信することになる。
【０３２１】
実例６５は、実例５４から６４のいずれか１つの主題を含み、任意に、広帯域幅データフレームは、広帯域幅ｍｍ波チャネルを通じて復号可能であり、予約フレームは、ｍｍ波チャネルを通じて復号可能である。
【０３２２】
実例６６は、ワイヤレス通信のシステムを含み、このシステムは、１つ又は複数のアンテナと、メモリと、プロセッサと、広帯域幅ミリメートル波（ｍｍ波）チャネルを通じて広帯域幅データフレームを受信し、広帯域幅ミリメートル波（ｍｍ波）チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、受信機であって、複数のｍｍ波チャネルのそれぞれを通じて第１及び第２のヘッダを受信するとともに、広帯域幅ｍｍ波チャネルを通じてデータ部分を受信する受信機と、広帯域幅データフレームを処理するメッセージプロセッサとを備える。
【０３２３】
実例６７は、実例６６の主題を含み、任意に、受信機は、複数のｍｍ波チャネルのそれぞれを通じて同じ第１のヘッダと同じ第２のヘッダとを受信することになる。
【０３２４】
実例６８は、実例６６又は６７の主題を含み、任意に、広帯域幅データフレームは、広帯域幅ｍｍ波チャネルを推定するための広帯域幅チャネル推定フィールドを含む。
【０３２５】
実例６９は、実例６８の主題を含み、任意に、受信機は、広帯域幅ｍｍ波チャネルを通じて広帯域幅チャネル推定フィールドを受信することになる。
【０３２６】
実例７０は、実例６８の主題を含み、任意に、受信機は、複数のｍｍ波チャネルのうちの第１のチャネルと第２のチャネルとの間の狭帯域幅を通じて広帯域幅チャネル推定フィールドを受信することになる。
【０３２７】
実例７１は、ワイヤレス通信の方法を含み、この方法は、広帯域幅ミリメートル波（ｍｍ波）チャネルを通じて伝送されることになる広帯域幅データフレームを生成するステップであって、広帯域幅ｍｍ波チャネルが複数のｍｍ波チャネルを含む、ステップと、複数のｍｍ波チャネルを通じて複数の予約フレームを送信するステップであって、複数の予約フレームのうちの予約フレームが、広帯域幅データフレームの継続時間に対応する継続時間値と、広帯域幅データフレームが広帯域幅ｍｍ波チャネルを通じて伝送されることになることを指示する広帯域幅指示値とを含む、ステップと、広帯域幅ｍｍ波チャネルを通じて広帯域幅データフレームを送信するステップとを含む。
【０３２８】
実例７２は、実例７１の主題を含み、任意に、継続時間値は、少なくとも、広帯域幅データフレームの伝送と、ショートインターフレームスペース（ＳＩＦＳ）と、広帯域幅データフレームへの応答フレームの伝送との継続時間をカバーすることになる。
【０３２９】
実例７３は、実例７１又は７２の主題を含み、任意に、継続時間値は、その間に広帯域幅データフレームが伝送されることになる伝送機会（ＴｘＯＰ）の継続時間を指示することになる。
【０３３０】
実例７４は、実例７１から７３のいずれか１つの主題を含み、任意に、広帯域幅データフレームの伝送の前に複数のｍｍ波チャネルを通じて複数の応答フレームを受信するステップを含む。
【０３３１】
実例７５は、実例７４の主題を含み、任意に、複数の予約フレームは、送信要求（ＲＴＳ）フレームを含み、複数の応答フレームは、送信可（ＣＴＳ）フレームを含む。
【０３３２】
実例７６は、実例７４の主題を含み、任意に、複数の予約フレームは、広帯域幅データフレームの伝送のために複数のｍｍ波チャネルを予約するための専用フレームを含み、複数の応答フレームは、予約フレームの受信確認をするための専用応答フレームを含む。
【０３３３】
実例７７は、実例７４の主題を含み、任意に、複数の予約フレームは、認可フレームを含み、複数の応答フレームは、認可受信確認（ＡＣＫ）フレームを含む。
【０３３４】
実例７８は、実例７１から７７のいずれか１つの主題を含み、任意に、広帯域幅指示値は、予約フレームの物理層（ＰＨＹ）ヘッダの１つ又は複数のビットによって表される。
【０３３５】
実例７９は、実例７１から７８のいずれか１つの主題を含み、任意に、広帯域幅データフレームの伝送完了を指示するために、複数のｍｍ波チャネルを通じて複数の無競合終了（ＣＦ−Ｅｎｄ）フレームを送信するステップを含む。
【０３３６】
実例８０は、実例７１から７９のいずれか１つの主題を含み、任意に、制御ｍｍ波チャネルを通じて予約フレームのうちの少なくとも１つを送信するステップを含む。
【０３３７】
実例８１は、実例７１から８０のいずれか１つの主題を含み、任意に、広帯域幅データフレームは、広帯域幅ｍｍ波チャネルを通じて復号可能であり、予約フレームは、複数のｍｍ波チャネルのうちのそれぞれのチャネルを通じて復号可能である。
【０３３８】
実例８２は、ワイヤレス通信の方法を含み、この方法は、広帯域幅ミリメートル波（ｍｍ波）チャネルを通じて伝送されることになる広帯域幅データフレームを生成するステップであって、広帯域幅ｍｍ波チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、ステップと、複数のｍｍ波チャネルのそれぞれを通じて第１及び第２のヘッダを送信するステップと、広帯域幅ｍｍ波チャネルを通じてデータ部分を送信するステップとを含む。
【０３３９】
実例８３は、実例８２の主題を含み、任意に、複数のｍｍ波チャネルのそれぞれを通じて同じ第１のヘッダと同じ第２のヘッダとを送信するステップを含む。
【０３４０】
実例８４は、実例８２又は８３の主題を含み、任意に、広帯域幅データフレームは、広帯域幅ｍｍ波チャネルを推定するための広帯域幅チャネル推定フィールドを含む。
【０３４１】
実例８５は、実例８４の主題を含み、任意に、広帯域幅ｍｍ波チャネルを通じて広帯域幅チャネル推定フィールドを送信するステップを含む。
【０３４２】
実例８６は、実例８４の主題を含み、任意に、複数のｍｍ波チャネルのうちの第１のチャネルと第２のチャネルとの間の狭帯域幅を通じて広帯域幅チャネル推定フィールドを送信するステップを含む。
【０３４３】
実例８７は、ワイヤレス通信の方法を含み、この方法は、少なくとも１つのミリメートル波（ｍｍ波）チャネルを通じて少なくとも１つの予約フレームを受信するステップであって、予約フレームが、広帯域幅データフレームの継続時間に対応する継続時間値と、複数のｍｍ波チャネルを含む広帯域幅ｍｍ波チャネルを通じて広帯域幅データフレームが伝送されることになることを指示する広帯域幅指示値とを含み、複数のｍｍ波チャネルが、少なくとも１つのｍｍ波チャネルを含む、ステップと、少なくとも１つの応答フレームを生成するステップと、ｍｍ波チャネルを通じて応答フレームを送信するステップと、広帯域幅ｍｍ波チャネルを通じて受信されることになる広帯域幅データフレームを処理するステップとを含む。
【０３４４】
実例８８は、実例８７の主題を含み、任意に、複数のｍｍ波チャネルを通じて複数の予約フレームを受信するステップと、複数の応答フレームを生成するステップと、複数のｍｍ波チャネルを通じて複数の応答フレームを送信するステップとを含む。
【０３４５】
実例８９は、実例８７又は８８の主題を含み、任意に、継続時間値は、少なくとも、広帯域幅データフレームの伝送と、ショートインターフレームスペース（ＳＩＦＳ）と、応答フレームの伝送との継続時間をカバーすることになる。
【０３４６】
実例９０は、実例８７から８９のいずれか１つの主題を含み、任意に、継続時間値は、その間に広帯域幅データフレームが伝送されることになる伝送機会（ＴｘＯＰ）の継続時間を指示することになる。
【０３４７】
実例９１は、実例８７から９０のいずれか１つの主題を含み、任意に、広帯域幅データフレームの伝送の前に応答フレームを送信するステップを含む。
【０３４８】
実例９２は、実例８７から９１のいずれか１つの主題を含み、任意に、予約フレームは、送信要求（ＲＴＳ）フレームを含み、応答フレームは、送信可（ＣＴＳ）フレームを含む。
【０３４９】
実例９３は、実例８７から９１のいずれか１つの主題を含み、任意に、予約フレームは、広帯域幅データフレームの伝送のためにｍｍ波チャネルを予約するための専用フレームを含み、応答フレームは、予約フレームの受信確認をするための専用応答フレームを含む。
【０３５０】
実例９４は、実例８７から９１のいずれか１つの主題を含み、任意に、予約フレームは、認可フレームを含み、応答フレームは、認可受信確認（ＡＣＫ）フレームを含む。
【０３５１】
実例９５は、実例８７から９４のいずれか１つの主題を含み、任意に、広帯域幅指示値は、予約フレームの物理層（ＰＨＹ）ヘッダの１つ又は複数のビットによって表される。
【０３５２】
実例９６は、実例８７から９５のいずれか１つの主題を含み、任意に、ｍｍ波チャネルを通じて、広帯域幅データフレームの伝送完了を指示する無競合終了（ＣＦ−Ｅｎｄ）フレームを受信するステップを含む。
【０３５３】
実例９７は、実例８７から９６のいずれか１つの主題を含み、任意に、制御ｍｍ波チャネルを通じて予約フレームを受信するステップを含む。
【０３５４】
実例９８は、実例８７から９７のいずれか１つの主題を含み、任意に、広帯域幅データフレームは、広帯域幅ｍｍ波チャネルを通じて復号可能であり、予約フレームは、ｍｍ波チャネルを通じて復号可能である。
【０３５５】
実例９９は、ワイヤレス通信の方法を含み、この方法は、広帯域幅ミリメートル波（ｍｍ波）チャネルを通じて広帯域幅データフレームを受信するステップであって、広帯域幅ミリメートル波（ｍｍ波）チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含み、広帯域幅データフレームを受信することが、複数のｍｍ波チャネルのそれぞれを通じて第１及び第２のヘッダを受信すること、及び広帯域幅ｍｍ波チャネルを通じてデータ部分を受信することを含む、ステップと、広帯域幅データフレームを処理するステップとを含む。
【０３５６】
実例１００は、実例９９の主題を含み、任意に、複数のｍｍ波チャネルのそれぞれを通じて同じ第１のヘッダと同じ第２のヘッダとを受信するステップを含む。
【０３５７】
実例１０１は、実例９９又は１００の主題を含み、任意に、広帯域幅データフレームは、広帯域幅ｍｍ波チャネルを推定するための広帯域幅チャネル推定フィールドを含む。
【０３５８】
実例１０２は、実例１０１の主題を含み、任意に、広帯域幅ｍｍ波チャネルを通じて広帯域幅チャネル推定フィールドを受信するステップを含む。
【０３５９】
実例１０３は、実例１０１の主題を含み、任意に、複数のｍｍ波チャネルのうちの第１のチャネルと第２のチャネルとの間の狭帯域幅を通じて広帯域幅チャネル推定フィールドを受信するステップを含む。
【０３６０】
実例１０４は、少なくとも１つのコンピュータプロセッサによって実行されると、その少なくとも１つのコンピュータプロセッサが方法を実施することを可能にするように動作可能なコンピュータ実行可能な命令を含む１つ又は複数の有形のコンピュータ読み取り可能な非一時的記憶媒体を含む製品を含み、この方法は、広帯域幅ミリメートル波（ｍｍ波）チャネルを通じて伝送されることになる広帯域幅データフレームを生成するステップであって、広帯域幅ｍｍ波チャネルが複数のｍｍ波チャネルを含む、ステップと、複数のｍｍ波チャネルを通じて複数の予約フレームを送信するステップであって、複数の予約フレームのうちの予約フレームが、広帯域幅データフレームの継続時間に対応する継続時間値と、広帯域幅データフレームが広帯域幅ｍｍ波チャネルを通じて伝送されることになることを指示する広帯域幅指示値とを含む、ステップと、広帯域幅ｍｍ波チャネルを通じて広帯域幅データフレームを送信するステップとを含む。
【０３６１】
実例１０５は、実例１０４の主題を含み、任意に、継続時間値は、少なくとも、広帯域幅データフレームの伝送と、ショートインターフレームスペース（ＳＩＦＳ）と、広帯域幅データフレームへの応答フレームの伝送との継続時間をカバーすることになる。
【０３６２】
実例１０６は、実例１０４又は１０５の主題を含み、任意に、継続時間値は、その間に広帯域幅データフレームが伝送されることになる伝送機会（ＴｘＯＰ）の継続時間を指示することになる。
【０３６３】
実例１０７は、実例１０４から１０６のいずれか１つの主題を含み、任意に、この方法は、広帯域幅データフレームの伝送の前に複数のｍｍ波チャネルを通じて複数の応答フレームを受信するステップを含む。
【０３６４】
実例１０８は、実例１０７の主題を含み、任意に、複数の予約フレームは、送信要求（ＲＴＳ）フレームを含み、複数の応答フレームは、送信可（ＣＴＳ）フレームを含む。
【０３６５】
実例１０９は、実例１０７の主題を含み、任意に、複数の予約フレームは、広帯域幅データフレームの伝送のために複数のｍｍ波チャネルを予約するための専用フレームを含み、複数の応答フレームは、予約フレームの受信確認をするための専用応答フレームを含む。
【０３６６】
実例１１０は、実例１０７の主題を含み、任意に、複数の予約フレームは、認可フレームを含み、複数の応答フレームは、認可受信確認（ＡＣＫ）フレームを含む。
【０３６７】
実例１１１は、実例１０４から１１０のいずれか１つの主題を含み、任意に、広帯域幅指示値は、予約フレームの物理層（ＰＨＹ）ヘッダの１つ又は複数のビットによって表される。
【０３６８】
実例１１２は、実例１０４から１１１のいずれか１つの主題を含み、任意に、この方法は、広帯域幅データフレームの伝送完了を指示するために、複数のｍｍ波チャネルを通じて複数の無競合終了（ＣＦ−Ｅｎｄ）フレームを送信するステップを含む。
【０３６９】
実例１１３は、実例１０４から１１２のいずれか１つの主題を含み、任意に、この方法は、制御ｍｍ波チャネルを通じて予約フレームのうちの少なくとも１つを送信するステップを含む。
【０３７０】
実例１１４は、実例１０４から１１３のいずれか１つの主題を含み、任意に、広帯域幅データフレームは、広帯域幅ｍｍ波チャネルを通じて復号可能であり、予約フレームは、複数のｍｍ波チャネルのうちのそれぞれのチャネルを通じて復号可能である。
【０３７１】
実例１１５は、少なくとも１つのコンピュータプロセッサによって実行されると、その少なくとも１つのコンピュータプロセッサが方法を実施することを可能にするように動作可能なコンピュータ実行可能な命令を含む１つ又は複数の有形のコンピュータ読み取り可能な非一時的記憶媒体を含む製品を含み、この方法は、広帯域幅ミリメートル波（ｍｍ波）チャネルを通じて伝送されることになる広帯域幅データフレームを生成するステップであって、広帯域幅ｍｍ波チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、ステップと、複数のｍｍ波チャネルのそれぞれを通じて第１及び第２のヘッダを送信するステップと、広帯域幅ｍｍ波チャネルを通じてデータ部分を送信するステップとを含む。
【０３７２】
実例１１６は、実例１１５の主題を含み、任意に、この方法は、複数のｍｍ波チャネルのそれぞれを通じて同じ第１のヘッダと同じ第２のヘッダとを送信するステップを含む。
【０３７３】
実例１１７は、実例１１５又は１１６の主題を含み、任意に、広帯域幅データフレームは、広帯域幅ｍｍ波チャネルを推定するための広帯域幅チャネル推定フィールドを含む。
【０３７４】
実例１１８は、実例１１７の主題を含み、任意に、この方法は、広帯域幅ｍｍ波チャネルを通じて広帯域幅チャネル推定フィールドを送信するステップを含む。
【０３７５】
実例１１９は、実例１１７の主題を含み、任意に、この方法は、複数のｍｍ波チャネルのうちの第１のチャネルと第２のチャネルとの間の狭帯域幅を通じて広帯域幅チャネル推定フィールドを送信するステップを含む。
【０３７６】
実例１２０は、少なくとも１つのコンピュータプロセッサによって実行されると、その少なくとも１つのコンピュータプロセッサが方法を実施することを可能にするように動作可能なコンピュータ実行可能な命令を含む１つ又は複数の有形のコンピュータ読み取り可能な非一時的記憶媒体を含む製品を含み、この方法は、少なくとも１つのミリメートル波（ｍｍ波）チャネルを通じて少なくとも１つの予約フレームを受信するステップであって、予約フレームが、広帯域幅データフレームの継続時間に対応する継続時間値と、複数のｍｍ波チャネルを含む広帯域幅ｍｍ波チャネルを通じて広帯域幅データフレームが伝送されることになることを指示する広帯域幅指示値とを含み、複数のｍｍ波チャネルが、少なくとも１つのｍｍ波チャネルを含む、ステップと、少なくとも１つの応答フレームを生成するステップと、ｍｍ波チャネルを通じて応答フレームを送信するステップと、広帯域幅ｍｍ波チャネルを通じて受信されることになる広帯域幅データフレームを処理するステップとを含む。
【０３７７】
実例１２１は、実例１２０の主題を含み、任意に、この方法は、複数のｍｍ波チャネルを通じて複数の予約フレームを受信するステップと、複数の応答フレームを生成するステップと、複数のｍｍ波チャネルを通じて複数の応答フレームを送信するステップとを含む。
【０３７８】
実例１２２は、実例１２０又は１２１の主題を含み、任意に、継続時間値は、少なくとも、広帯域幅データフレームの伝送と、ショートインターフレームスペース（ＳＩＦＳ）と、応答フレームの伝送との継続時間をカバーすることになる。
【０３７９】
実例１２３は、実例１２０から１２２のいずれか１つの主題を含み、任意に、継続時間値は、その間に広帯域幅データフレームが伝送されることになる伝送機会（ＴｘＯＰ）の継続時間を指示することになる。
【０３８０】
実例１２４は、実例１２０から１２３のいずれか１つの主題を含み、任意に、この方法は、広帯域幅データフレームの伝送の前に応答フレームを送信するステップを含む。
【０３８１】
実例１２５は、実例１２０から１２４のいずれか１つの主題を含み、任意に、予約フレームは、送信要求（ＲＴＳ）フレームを含み、応答フレームは、送信可（ＣＴＳ）フレームを含む。
【０３８２】
実例１２６は、実例１２０から１２４のいずれか１つの主題を含み、任意に、予約フレームは、広帯域幅データフレームの伝送のためにｍｍ波チャネルを予約するための専用フレームを含み、応答フレームは、予約フレームの受信確認をするための専用応答フレームを含む。
【０３８３】
実例１２７は、実例１２０から１２４のいずれか１つの主題を含み、任意に、予約フレームは、認可フレームを含み、応答フレームは、認可受信確認（ＡＣＫ）フレームを含む。
【０３８４】
実例１２８は、実例１２０から１２７のいずれか１つの主題を含み、任意に、広帯域幅指示値は、予約フレームの物理層（ＰＨＹ）ヘッダの１つ又は複数のビットによって表される。
【０３８５】
実例１２９は、実例１２０から１２８のいずれか１つの主題を含み、任意に、この方法は、ｍｍ波チャネルを通じて、広帯域幅データフレームの伝送完了を指示する無競合終了（ＣＦ−Ｅｎｄ）フレームを受信するステップを含む。
【０３８６】
実例１３０は、実例１２０から１２９のいずれか１つの主題を含み、任意に、この方法は、制御ｍｍ波チャネルを通じて予約フレームを受信するステップを含む。
【０３８７】
実例１３１は、実例１２０から１３０のいずれか１つの主題を含み、任意に、広帯域幅データフレームは、広帯域幅ｍｍ波チャネルを通じて復号可能であり、予約フレームは、ｍｍ波チャネルを通じて復号可能である。
【０３８８】
実例１３２は、少なくとも１つのコンピュータプロセッサによって実行されると、その少なくとも１つのコンピュータプロセッサが方法を実施することを可能にするように動作可能なコンピュータ実行可能な命令を含む１つ又は複数の有形のコンピュータ読み取り可能な非一時的記憶媒体を含む製品を含み、この方法は、広帯域幅ミリメートル波（ｍｍ波）チャネルを通じて広帯域幅データフレームを受信するステップであって、広帯域幅ミリメートル波（ｍｍ波）チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含み、広帯域幅データフレームを受信することが、複数のｍｍ波チャネルのそれぞれを通じて第１及び第２のヘッダを受信すること、及び広帯域幅ｍｍ波チャネルを通じてデータ部分を受信することを含む、ステップと、広帯域幅データフレームを処理するステップとを含む。
【０３８９】
実例１３３は、実例１３２の主題を含み、任意に、この方法は、複数のｍｍ波チャネルのそれぞれを通じて同じ第１のヘッダと同じ第２のヘッダとを受信するステップを含む。
【０３９０】
実例１３４は、実例１３２又は１３３の主題を含み、任意に、広帯域幅データフレームは、広帯域幅ｍｍ波チャネルを推定するための広帯域幅チャネル推定フィールドを含む。
【０３９１】
実例１３５は、実例１３４の主題を含み、任意に、この方法は、広帯域幅ｍｍ波チャネルを通じて広帯域幅チャネル推定フィールドを受信するステップを含む。
【０３９２】
実例１３６は、実例１３４の主題を含み、任意に、この方法は、複数のｍｍ波チャネルのうちの第１のチャネルと第２のチャネルとの間の狭帯域幅を通じて広帯域幅チャネル推定フィールドを受信するステップを含む。
【０３９３】
実例１３７は、ワイヤレス通信の装置を含み、この装置は、広帯域幅ミリメートル波（ｍｍ波）チャネルを通じて伝送されることになる広帯域幅データフレームを生成するための手段であって、広帯域幅ｍｍ波チャネルが複数のｍｍ波チャネルを含む、手段と、複数のｍｍ波チャネルを通じて複数の予約フレームを送信するための手段であって、複数の予約フレームのうちの予約フレームが、広帯域幅データフレームの継続時間に対応する継続時間値と、広帯域幅データフレームが広帯域幅ｍｍ波チャネルを通じて伝送されることになることを指示する広帯域幅指示値とを含む、手段と、広帯域幅ｍｍ波チャネルを通じて広帯域幅データフレームを送信するための手段とを備える。
【０３９４】
実例１３８は、実例１３７の主題を含み、任意に、継続時間値は、少なくとも、広帯域幅データフレームの伝送と、ショートインターフレームスペース（ＳＩＦＳ）と、広帯域幅データフレームへの応答フレームの伝送との継続時間をカバーすることになる。
【０３９５】
実例１３９は、実例１３７又は１３８の主題を含み、任意に、継続時間値は、その間に広帯域幅データフレームが伝送されることになる伝送機会（ＴｘＯＰ）の継続時間を指示することになる。
【０３９６】
実例１４０は、実例１３７から１３９のいずれか１つの主題を含み、任意に、広帯域幅データフレームの伝送の前に複数のｍｍ波チャネルを通じて複数の応答フレームを受信するための手段を備える。
【０３９７】
実例１４１は、実例１４０の主題を含み、任意に、複数の予約フレームは、送信要求（ＲＴＳ）フレームを含み、複数の応答フレームは、送信可（ＣＴＳ）フレームを含む。
【０３９８】
実例１４２は、実例１４０の主題を含み、任意に、複数の予約フレームは、広帯域幅データフレームの伝送のために複数のｍｍ波チャネルを予約するための専用フレームを含み、複数の応答フレームは、予約フレームの受信確認をするための専用応答フレームを含む。
【０３９９】
実例１４３は、実例１４０の主題を含み、任意に、複数の予約フレームは、認可フレームを含み、複数の応答フレームは、認可受信確認（ＡＣＫ）フレームを含む。
【０４００】
実例１４４は、実例１３７から１４３のいずれか１つの主題を含み、任意に、広帯域幅指示値は、予約フレームの物理層（ＰＨＹ）ヘッダの１つ又は複数のビットによって表される。
【０４０１】
実例１４５は、実例１３７から１４４のいずれか１つの主題を含み、任意に、広帯域幅データフレームの伝送完了を指示するために、複数のｍｍ波チャネルを通じて複数の無競合終了（ＣＦ−Ｅｎｄ）フレームを送信するための手段を備える。
【０４０２】
実例１４６は、実例１３７から１４５のいずれか１つの主題を含み、任意に、制御ｍｍ波チャネルを通じて予約フレームのうちの少なくとも１つを送信するための手段を備える。
【０４０３】
実例１４７は、実例１３７から１４６のいずれか１つの主題を含み、任意に、広帯域幅データフレームは、広帯域幅ｍｍ波チャネルを通じて復号可能であり、予約フレームは、複数のｍｍ波チャネルのうちのそれぞれのチャネルを通じて復号可能である。
【０４０４】
実例１４８は、ワイヤレス通信の装置を含み、この装置は、広帯域幅ミリメートル波（ｍｍ波）チャネルを通じて伝送されることになる広帯域幅データフレームを生成するための手段であって、広帯域幅ｍｍ波チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含む、手段と、複数のｍｍ波チャネルのそれぞれを通じて第１及び第２のヘッダを送信するための手段と、広帯域幅ｍｍ波チャネルを通じてデータ部分を送信するための手段とを備える。
【０４０５】
実例１４９は、実例１４８の主題を含み、任意に、複数のｍｍ波チャネルのそれぞれを通じて同じ第１のヘッダと同じ第２のヘッダとを送信するための手段を備える。
【０４０６】
実例１５０は、実例１４８又は１４９の主題を含み、任意に、広帯域幅データフレームは、広帯域幅ｍｍ波チャネルを推定するための広帯域幅チャネル推定フィールドを含む。
【０４０７】
実例１５１は、実例１５０の主題を含み、任意に、広帯域幅ｍｍ波チャネルを通じて広帯域幅チャネル推定フィールドを送信するための手段を備える。
【０４０８】
実例１５２は、実例１５０の主題を含み、任意に、複数のｍｍ波チャネルのうちの第１のチャネルと第２のチャネルとの間の狭帯域幅を通じて広帯域幅チャネル推定フィールドを送信するための手段を備える。
【０４０９】
実例１５３は、ワイヤレス通信の装置を含み、この装置は、少なくとも１つのミリメートル波（ｍｍ波）チャネルを通じて少なくとも１つの予約フレームを受信するための手段であって、予約フレームが、広帯域幅データフレームの継続時間に対応する継続時間値と、複数のｍｍ波チャネルを含む広帯域幅ｍｍ波チャネルを通じて広帯域幅データフレームが伝送されることになることを指示する広帯域幅指示値とを含み、複数のｍｍ波チャネルが、少なくとも１つのｍｍ波チャネルを含む、手段と、少なくとも１つの応答フレームを生成するための手段と、ｍｍ波チャネルを通じて応答フレームを送信するための手段と、広帯域幅ｍｍ波チャネルを通じて受信されることになる広帯域幅データフレームを処理するための手段とを備える。
【０４１０】
実例１５４は、実例１５３の主題を含み、任意に、複数のｍｍ波チャネルを通じて複数の予約フレームを受信するための手段と、複数の応答フレームを生成するための手段と、複数のｍｍ波チャネルを通じて複数の応答フレームを送信するための手段とを備える。
【０４１１】
実例１５５は、実例１５３又は１５４の主題を含み、任意に、継続時間値は、少なくとも、広帯域幅データフレームの伝送と、ショートインターフレームスペース（ＳＩＦＳ）と、応答フレームの伝送との継続時間をカバーすることになる。
【０４１２】
実例１５６は、実例１５３から１５５のいずれか１つの主題を含み、任意に、継続時間値は、その間に広帯域幅データフレームが伝送されることになる伝送機会（ＴｘＯＰ）の継続時間を指示することになる。
【０４１３】
実例１５７は、実例１５３から１５６のいずれか１つの主題を含み、任意に、広帯域幅データフレームの伝送の前に応答フレームを送信するための手段を備える。
【０４１４】
実例１５８は、実例１５３から１５７のいずれか１つの主題を含み、任意に、予約フレームは、送信要求（ＲＴＳ）フレームを含み、応答フレームは、送信可（ＣＴＳ）フレームを含む。
【０４１５】
実例１５９は、実例１５３から１５７のいずれか１つの主題を含み、任意に、予約フレームは、広帯域幅データフレームの伝送のためにｍｍ波チャネルを予約するための専用フレームを含み、応答フレームは、予約フレームの受信確認をするための専用応答フレームを含む。
【０４１６】
実例１６０は、実例１５３から１５７のいずれか１つの主題を含み、任意に、予約フレームは、認可フレームを含み、応答フレームは、認可受信確認（ＡＣＫ）フレームを含む。
【０４１７】
実例１６１は、実例１５３から１６０のいずれか１つの主題を含み、任意に、広帯域幅指示値は、予約フレームの物理層（ＰＨＹ）ヘッダの１つ又は複数のビットによって表される。
【０４１８】
実例１６２は、実例１５３から１６１のいずれか１つの主題を含み、任意に、ｍｍ波チャネルを通じて、広帯域幅データフレームの伝送完了を指示する無競合終了（ＣＦ−Ｅｎｄ）フレームを受信するための手段を備える。
【０４１９】
実例１６３は、実例１５３から１６２のいずれか１つの主題を含み、任意に、制御ｍｍ波チャネルを通じて予約フレームを受信するための手段を備える。
【０４２０】
実例１６４は、実例１５３から１６３のいずれか１つの主題を含み、任意に、広帯域幅データフレームは、広帯域幅ｍｍ波チャネルを通じて復号可能であり、予約フレームは、ｍｍ波チャネルを通じて復号可能である。
【０４２１】
実例１６５は、ワイヤレス通信の装置を含み、この装置は、広帯域幅ミリメートル波（ｍｍ波）チャネルを通じて広帯域幅データフレームを受信するための手段であって、広帯域幅ミリメートル波（ｍｍ波）チャネルが、複数のｍｍ波チャネルを含み、広帯域幅データフレームが、第１のヘッダと、第２のヘッダと、データ部分とを含み、第１のヘッダが、第２のヘッダの指示値を含み、第２のヘッダが、広帯域幅ｍｍ波チャネルについての指示値を含み、広帯域幅データフレームを受信することが、複数のｍｍ波チャネルのそれぞれを通じて第１及び第２のヘッダを受信すること、及び広帯域幅ｍｍ波チャネルを通じてデータ部分を受信することを含む、手段と、広帯域幅データフレームを処理するための手段とを備える。
【０４２２】
実例１６６は、実例１６５の主題を含み、任意に、複数のｍｍ波チャネルのそれぞれを通じて同じ第１のヘッダと同じ第２のヘッダとを受信するための手段を備える。
【０４２３】
実例１６７は、実例１６５又は１６６の主題を含み、任意に、広帯域幅データフレームは、広帯域幅ｍｍ波チャネルを推定するための広帯域幅チャネル推定フィールドを含む。
【０４２４】
実例１６８は、実例１６７の主題を含み、任意に、広帯域幅ｍｍ波チャネルを通じて広帯域幅チャネル推定フィールドを受信するための手段を備える。
【０４２５】
実例１６９は、実例１６７の主題を含み、任意に、複数のｍｍ波チャネルのうちの第１のチャネルと第２のチャネルとの間の狭帯域幅を通じて広帯域幅チャネル推定フィールドを受信するための手段を備える。
【０４２６】
１つ又は複数の実施形態を参照して本明細書において説明された機能、動作、コンポーネント及び／又は特徴は、１つ又は複数の他の実施形態を参照して本明細書において説明された１つ又は複数の他の機能、動作、コンポーネント及び／又は特徴と組み合わされることができるか又は組み合わせて用いられることができ、又はその逆も成り立つ。
【０４２７】
本明細書では、一定の特徴が例証され説明されてきたが、多くの修正、置換、変更、及び均等物が、当業者には想到され得るであろう。したがって、添付の請求項の範囲は、本開示の真の趣旨に属するそれらすべての修正及び変更をカバーすることが意図されているものと理解されたい。
【図１】
2018107820.tif 000004
【図２Ａ】
2018107820.tif 000005
【図２Ｂ】
2018107820.tif 000006
【図３】
2018107820.tif 000007
【図４】
2018107820.tif 000008
【図５】
2018107820.tif 000009
【図６Ａ】
2018107820.tif 000010
【図６Ｂ】
2018107820.tif 000011
【図７】
2018107820.tif 000012
【図８】
2018107820.tif 000013
【図９】
2018107820.tif 000014
【図１０】
2018107820.tif 000015
【外国語明細書】
2018107820000001.pdf